(57)【要約】【課題】同一の受入部に収納する際に紙幣を分類して管理することができる紙幣処理機を提供する。【解決手段】一対のドラム５５，５６と一対のドラム５５，５６間に張り渡されたテープＴとを備え、送り込まれる紙幣Ｓを一対のドラム５５，５６のうちの一方のドラム５５にテープＴとともに巻き付けて繰出可能に収納する一時貯留部と、紙幣Ｓを収納可能な受入部とを有し、一時貯留部は、一方のドラム５５に少なくとも一つの仕切シートＸを、テープＴのうちの紙幣Ｓを収納するための紙幣用テープ部ＴＡよりも一方のドラム５５への固定端側の仕切シート用テープ部ＴＢとともに巻き付けて収納しており、受入部に紙幣Ｓを収納した場合に、一方のドラム５５に収納している仕切シートＸを一時貯留部から繰り出して、受入部に収納させる。【選択図】図２
2011018172.tif 000002
【特許請求の範囲】
【請求項１】
一対のドラムと該一対のドラム間に張り渡されたテープとを備え、送り込まれる紙幣を前記一対のドラムのうちの一方のドラムに前記テープとともに巻き付けて繰出可能に収納する一時貯留部と、
紙幣を収納可能な受入部とを有する紙幣処理機において、
前記一時貯留部は、前記一方のドラムに少なくとも一つの仕切シートを、前記テープのうちの紙幣を収納するための紙幣用テープ部よりも前記一方のドラムへの固定端側の仕切シート用テープ部とともに巻き付けて収納しており、前記受入部に紙幣を収納した場合に、前記一方のドラムに収納している前記仕切シートを前記一時貯留部から繰り出して、前記受入部に収納させる制御部を有することを特徴とする紙幣処理機。
【請求項２】
一対のドラムと該一対のドラム間に張り渡されたテープとを備え、送り込まれる紙幣を前記一対のドラムのうちの一方のドラムに前記テープとともに巻き付けて繰出可能に収納する一時貯留部と、
紙幣を収納可能な受入部とを有する紙幣処理機において、
前記一時貯留部は、前記一対のドラムのうちの他方のドラムに少なくとも一つの仕切シートを前記テープとともに巻き付けて収納しており、前記受入部に紙幣を収納した場合に、前記他方のドラムに収納している前記仕切シートを前記一時貯留部から繰り出して、前記受入部に収納させる制御部を有することを特徴とする紙幣処理機。
【請求項３】
機外から紙幣が投入される投入部と、
該投入部に投入された紙幣を識別する識別部と、
該識別部で真券と識別された紙幣を繰出可能に収納する前記一時貯留部と、
前記識別部で偽券と識別された紙幣を収納する偽券回収部と、
前記識別部で識別不可の紙幣を機外に取出可能に返却する第１返却部と、
前記一時貯留部から繰り出された紙幣を機外に取出可能に返却する第２返却部と、
前記一時貯留部から繰り出された紙幣を収納する収納部と、
前記第１返却部で取り忘れられた紙幣を収納する第１取忘回収部と、
前記第２返却部で取り忘れられた紙幣を収納する第２取忘回収部とを有し、
前記受入部が、前記偽券回収部、前記第１取忘回収部および前記第２取忘回収部のうちの少なくともいずれか一つであることを特徴とする請求項１または２に記載の紙幣処理機。
【請求項４】
前記第１返却部および前記第２返却部が一つの共通返却部であり、前記第１取忘回収部および前記第２取忘回収部が一つの共通取忘回収部であって、前記受入部が、少なくとも前記共通取忘回収部を含むことを特徴とする請求項３に記載の紙幣処理機。
【請求項５】
前記収納部から繰り出された紙幣を機外に取出可能に出金する出金部と、該出金部で取り忘れられた紙幣を収納する第３取忘回収部とを有し、前記受入部が、前記偽券回収部、前記第１取忘回収部、前記第２取忘回収部および前記第３取忘回収部のうちの少なくともいずれか一つであることを特徴とする請求項３または４に記載の紙幣処理機。
【請求項６】
前記第１返却部、前記第２返却部および前記出金部が一つの共通送出部であり、前記第１取忘回収部、前記第２取忘回収部および前記第３取忘回収部が一つの共通取忘回収部であって、前記受入部が、少なくとも前記共通取忘回収部を含むことを特徴とする請求項５に記載の紙幣処理機。
【請求項７】
前記テープは、前記仕切シートを収納するための仕切シート用テープ部を他のテープ部と区別するための区別手段を有することを特徴とする請求項１乃至６のいずれか一項に記載の紙幣処理機。
【請求項８】
前記制御部は、通常処理モード実行後に前記仕切シートが前記一時貯留部で不足していると判断すると、前記仕切シートを補充するための仕切シート補充処理モードに移行し、該仕切シート補充処理モードで前記仕切シートが前記一時貯留部に補充された場合に限り、前記通常処理モードへの移行を許可することを特徴とする請求項１乃至７のいずれか一項に記載の紙幣処理機。
【請求項９】
前記制御部は、前記仕切シートが前記一時貯留部で不足していると判断すると、前記仕切シートの補充を指示する補充指示信号を出力することを特徴とする請求項１乃至８のいずれか一項に記載の紙幣処理機。
【発明の詳細な説明】
【技術分野】
【０００１】
本発明は、紙幣処理機に関する。
【背景技術】
【０００２】
紙幣処理機では、投入部に投入された紙幣を、識別部で識別後に一時貯留部に一時収納し、その後、返却指示があった場合は、機外に取出可能となるように返却部に返却し、入金指示があった場合は、収納部へ収納するようになっている。
【０００３】
ここで、紙幣処理機において、例えば、識別部で偽券と識別された紙幣があった場合には、機内に備え付けられた回収庫へ自動的に強制回収させる紙幣処理機が存在している（例えば、特許文献１参照）。
【先行技術文献】
【特許文献】
【０００４】
【特許文献１】特許第３２４８９７２号公報
【発明の概要】
【発明が解決しようとする課題】
【０００５】
ところで、上記回収庫は紙幣処理機内に備え付けられているため、顧客業務終了後に開庫されるのが通常である。そのため、一日に複数回の偽券投入等の異常が発生した場合には、上記回収庫へ強制回収された異常紙幣は異常処理毎、言い換えれば顧客毎に金種、枚数を管理することができず、異常処理（顧客）毎に管理をするためには、紙幣処理機をマシンダウンさせて上記回収庫を都度開庫する必要があり、円滑な業務運用が図れなかった。
【０００６】
勿論、偽券を回収する回収庫に限らず、同一の受入部に収納する際に処理毎に紙幣を分類可能とすることは管理上多大なメリットがある。
【０００７】
本発明は、このような点に鑑みなされたもので、同一の受入部に収納する際に紙幣を分類して管理することができる紙幣処理機を提供することを目的とする。
【課題を解決するための手段】
【０００８】
上記目的を達成するために、請求項１に係る発明は、一対のドラムと該一対のドラム間に張り渡されたテープとを備え、送り込まれる紙幣を前記一対のドラムのうちの一方のドラムに前記テープとともに巻き付けて繰出可能に収納する一時貯留部と、紙幣を収納可能な受入部とを有する紙幣処理機において、前記一時貯留部は、前記一方のドラムに少なくとも一つの仕切シートを、前記テープのうちの紙幣を収納するための紙幣用テープ部よりも前記一方のドラムへの固定端側の仕切シート用テープ部とともに巻き付けて収納しており、前記受入部に紙幣を収納した場合に、前記一方のドラムに収納している前記仕切シートを前記一時貯留部から繰り出して、前記受入部に収納させる制御部を有することを特徴としている。
【０００９】
請求項２に係る発明は、一対のドラムと該一対のドラム間に張り渡されたテープとを備え、送り込まれる紙幣を前記一対のドラムのうちの一方のドラムに前記テープとともに巻き付けて繰出可能に収納する一時貯留部と、紙幣を収納可能な受入部とを有する紙幣処理機において、前記一時貯留部は、前記一対のドラムのうちの他方のドラムに少なくとも一つの仕切シートを前記テープとともに巻き付けて収納しており、前記受入部に紙幣を収納した場合に、前記他方のドラムに収納している前記仕切シートを前記一時貯留部から繰り出して、前記受入部に収納させる制御部を有することを特徴としている。
【００１０】
請求項３に係る発明は、請求項１または２に係る発明において、機外から紙幣が投入される投入部と、該投入部に投入された紙幣を識別する識別部と、該識別部で真券と識別された紙幣を繰出可能に収納する前記一時貯留部と、前記識別部で偽券と識別された紙幣を収納する偽券回収部と、前記識別部で識別不可の紙幣を機外に取出可能に返却する第１返却部と、前記一時貯留部から繰り出された紙幣を機外に取出可能に返却する第２返却部と、前記一時貯留部から繰り出された紙幣を収納する収納部と、前記第１返却部で取り忘れられた紙幣を収納する第１取忘回収部と、前記第２返却部で取り忘れられた紙幣を収納する第２取忘回収部とを有し、前記受入部が、前記偽券回収部、前記第１取忘回収部および前記第２取忘回収部のうちの少なくともいずれか一つであることを特徴としている。
【００１１】
請求項４に係る発明は、請求項３に係る発明において、前記第１返却部および前記第２返却部が一つの共通返却部であり、前記第１取忘回収部および前記第２取忘回収部が一つの共通取忘回収部であって、前記受入部が、少なくとも前記共通取忘回収部を含むことを特徴としている。
【００１２】
請求項５に係る発明は、請求項３または４に係る発明において、前記収納部から繰り出された紙幣を機外に取出可能に出金する出金部と、該出金部で取り忘れられた紙幣を収納する第３取忘回収部とを有し、前記受入部が、前記偽券回収部、前記第１取忘回収部、前記第２取忘回収部および前記第３取忘回収部のうちの少なくともいずれか一つであることを特徴としている。
【００１３】
請求項６に係る発明は、請求項５に係る発明において、前記第１返却部、前記第２返却部および前記出金部が一つの共通送出部であり、前記第１取忘回収部、前記第２取忘回収部および前記第３取忘回収部が一つの共通取忘回収部であって、前記受入部が、少なくとも前記共通取忘回収部を含むことを特徴としている。
【００１４】
請求項７に係る発明は、請求項１乃至６のいずれか一項に係る発明において、前記テープは、前記仕切シートを収納するための仕切シート用テープ部を他のテープ部と区別するための区別手段を有することを特徴としている。
【００１５】
請求項８に係る発明は、請求項１乃至７のいずれか一項に係る発明において、前記制御部は、通常処理モード実行後に前記仕切シートが前記一時貯留部で不足していると判断すると、前記仕切シートを補充するための仕切シート補充処理モードに移行し、該仕切シート補充処理モードで前記仕切シートが前記一時貯留部に補充された場合に限り、前記通常処理モードへの移行を許可することを特徴としている。
【００１６】
請求項９に係る発明は、請求項１乃至８のいずれか一項に係る発明において、前記制御部は、前記仕切シートが前記一時貯留部で不足していると判断すると、前記仕切シートの補充を指示する補充指示信号を出力することを特徴としている。
【発明の効果】
【００１７】
請求項１に係る発明によれば、一対のドラムとこれらの間に張り渡されたテープとを備え、送り込まれる紙幣を一対のドラムのうちの一方のドラムにテープとともに巻き付けて繰出可能に収納する一時貯留部が、一方のドラムに少なくとも一つの仕切シートを、テープのうちの紙幣を収納するための紙幣用テープ部よりも一方のドラムへの固定端側の仕切シート用テープ部とともに巻き付けて収納しており、受入部に紙幣を収納した場合に、一方のドラムに収納している仕切シートを一時貯留部から繰り出して、受入部に収納することになるため、同一の受入部に複数の紙幣を収納する際に、必要な位置に仕切シートを配置することができ、仕切シートで分類して金種および枚数を管理することができる。しかも、仕切シートを、一時貯留部のテープのうちの紙幣を収納するための紙幣用テープ部よりも一方のドラムへの固定端側の仕切シート用テープ部とともに一方のドラムに巻き付けて収納し、これを必要により繰り出すため、仕切シートを収納し繰り出すための専用の機構が不要になり、コストを低減することができる。
【００１８】
請求項２に係る発明によれば、一対のドラムとこれらの間に張り渡されたテープとを備え、送り込まれる紙幣を一対のドラムのうちの一方のドラムにテープとともに巻き付けて繰出可能に収納する一時貯留部が、一対のドラムのうちの他方のドラムに少なくとも一つの仕切シートをテープとともに巻き付けて収納しており、受入部に紙幣を収納した場合に、他方のドラムに収納している仕切シートを一時貯留部から繰り出して受入部に収納することになるため、同一の受入部に複数の紙幣を収納する際に、必要な位置に仕切シートを配置することができ、仕切シートで分類して金種および枚数を管理することができる。しかも、仕切シートを、一時貯留部のテープの巻取りを行うための他方のドラムにテープとともに巻き付けて収納し、これを必要により繰り出すため、仕切シートを収納し繰り出すための専用の機構が不要になり、コストを低減することができる。
【００１９】
請求項３に係る発明によれば、投入部に投入され識別部で偽券と識別された紙幣を収納する偽券回収部、識別部で識別不可の紙幣を機外に取出可能に返却する第１返却部で取り忘れられた紙幣を収納する第１取忘回収部、および一時貯留部から繰り出された紙幣を機外に取出可能に返却する第２返却部で取り忘れられた紙幣を収納する第２取忘回収部のうちの少なくともいずれか一つに対して、一時貯留部から仕切シートを導入することができるため、これら偽券回収部、第１取忘回収部および第２取忘回収部の少なくともいずれか一つに収納する紙幣を分類して管理することができる。
【００２０】
請求項４に係る発明によれば、第１返却部および第２返却部が一つの共通返却部であり、第１取忘回収部および第２取忘回収部が一つの共通取忘回収部である場合に、この共通取忘回収部に収納する紙幣を分類して管理することができる。
【００２１】
請求項５に係る発明によれば、偽券回収部、第１取忘回収部、第２取忘回収部、および収納部から繰り出された紙幣を機外に取出可能に出金する出金部で取り忘れられた紙幣を収納する第３取忘回収部のうちの少なくともいずれか一つに対して、一時貯留部から仕切シートを導入することができるため、これら偽券回収部、第１取忘回収部、第２取忘回収部および第３取忘回収部の少なくともいずれか一つに収納する紙幣を分類して管理することができる。
【００２２】
請求項６に係る発明によれば、第１返却部、第２返却部および出金部が一つの共通送出部であり、第１取忘回収部、第２取忘回収部および第３取忘回収部が一つの共通取忘回収部である場合に、この共通取忘回収部に収納する紙幣を分類して管理することができる。
【００２３】
請求項７に係る発明によれば、テープは、仕切シートを収納するための仕切シート用テープ部を他のテープ部と区別するための区別手段を有するため、仕切シート用テープ部を他のテープ部と区別することができ、センサを用いた位置制御が可能となる。
【００２４】
請求項８に係る発明によれば、制御部が、通常処理モード実行後に仕切シートが一時貯留部で不足していると判断すると、仕切シートを補充するための仕切シート補充処理モードに移行し、仕切シートが一時貯留部に補充された場合に限り、通常処理モードへの移行を許可するため、仕切シートの欠乏を確実に防ぐことができる。
【００２５】
請求項９に係る発明によれば、制御部が、仕切シートが一時貯留部で不足していると判断すると、仕切シートの補充を指示する補充指示信号を出力するため、例えば、予備の仕切シートの保管場所が離れていたとしても、外部の管理担当部署やセンター等に対して仕切シートの補充を指示することができ、円滑な業務運用を図ることができる。
【図面の簡単な説明】
【００２６】
【図１】本発明の第１実施形態に係る紙幣処理機を概略的に示す側断面図である。
【図２】本発明の第１実施形態に係る紙幣処理機の要部展開図である。
【図３】本発明の第１実施形態に係る紙幣処理機の要部拡大側面図である。
【図４】本発明の第１実施形態に係る紙幣処理機の変形例の要部展開図である。
【図５】本発明の第２実施形態に係る紙幣処理機の要部拡大側面図である。
【図６】本発明の第３実施形態に係る紙幣処理機の要部拡大側面図である。
【図７】本発明の第３実施形態に係る紙幣処理機の要部展開図である。
【図８】本発明の第４実施形態に係る紙幣処理機の要部拡大側面図である。
【図９】本発明の第５実施形態に係る紙幣処理機を概略的に示す側断面図である。
【発明を実施するための形態】
【００２７】
本発明の第１実施形態に係る紙幣処理機を図１〜図４を参照して以下に説明する。なお、以下の説明においては、操作者側を「前」、操作者とは反対側を「後」、操作者から見て左右を「左右」とする。
【００２８】
第１実施形態に係る紙幣処理機は、紙幣の入金処理および計数処理のみが可能な入金専用機である。この紙幣処理機は、金種により大きさが大きく異なる外国紙幣をも取り扱い可能とするものであり、紙幣をその長辺方向を搬送方向に沿わせて搬送し収納するものである。なお、勿論、紙幣処理機の左右方向の幅を拡げることによって、紙幣をその短辺方向を搬送方向に沿わせて搬送し収納することもできる。
【００２９】
図１に示すように、第１実施形態に係る紙幣処理機１１は、機体の前面１１Ａ側に、機外から紙幣Ｓが投入される取引口としての投入口１２が設けられ、この投入口１２のさらに前面１１Ａ側に機内から紙幣Ｓが放出される取引口としての放出口１３が設けられている。
【００３０】
投入口１２には、紙幣Ｓがその長辺方向の一端を機体奥側にし短辺側を水平方向（機体左右方向）にした後下がりの姿勢で、厚さ方向に複数枚が集積された紙幣群ＳＳの状態で投入される。投入口１２は、最も長辺方向長さの長い紙幣Ｓの全体を収容可能となっている。投入口１２には、投入口１２の開口を開閉する投入口シャッタ１４と投入口１２内の紙幣Ｓを検出する投入検出センサ１５とが設けられている。
【００３１】
放出口１３には、紙幣Ｓがその長辺方向の一端を機体奥側にし短辺側を水平方向（機体左右方向）にした前上がりの姿勢で放出され、放出口１３内で厚さ方向に複数枚が集積されて紙幣群ＳＳの状態となる。放出口１３も、最も長辺方向長さの長い紙幣Ｓの全体を収容可能となっている。放出口１３にも、放出口１３の開口を開閉する放出口シャッタ１６と、放出口１３内の紙幣Ｓを検出する残留検出センサ１７とが設けられている。
【００３２】
投入口１２の機体奥側には、投入口１２に投入された紙幣Ｓを、一枚ずつ分離して機内に繰り出す分離繰出部１９が設けられている。投入口１２と分離繰出部１９とが、機外から紙幣Ｓが投入されるとともに投入された紙幣Ｓを一枚ずつ分離して機内に繰り出す投入部２０を構成している。
【００３３】
分離繰出部１９の機体奥側には、分離繰出部１９から繰り出された紙幣Ｓを搬送する搬送部２１が設けられている。この搬送部２１は、分離繰出部１９から後上がりに延出した後に下側に折り返して前下がりに延出し、さらに水平方向に沿って前方に延出し最後に前上がりに若干延出して放出口１３の後側上部に接続される形状をなしている。
【００３４】
また、紙幣処理機１１には、この搬送部２１の途中から分岐して鉛直下方に延出する縦搬送部２２ａと、縦搬送部２２ａの下端から水平に沿って後方に延出する横搬送路２２ｂとを有する搬送部２２と、搬送部２２の縦搬送部２２ａの途中位置から分岐し、水平に沿って後方に延出する搬送路２３と、搬送部２２の搬送路２３よりも下側の途中位置から分岐し、水平方向に沿って前方に延出して搬送部２１に接続される搬送部２４とが設けられている。ここで、横搬送路２２ｂおよび搬送路２３は、縦搬送部２２ａの駆動力で搬送される紙幣を駆動せず案内する。
【００３５】
搬送部２１の上流側には、投入部２０から繰り出され搬送部２１で搬送中の紙幣Ｓの識別と計数とを行う識別部２８が設けられている。また、搬送部２２の末端位置には、識別部２８により真券と識別された紙幣Ｓを金種混合で繰出可能に収納する一時貯留部２９がその入出口２９Ａを介して接続されている。また、搬送路２３の末端位置には、識別部２８で真券と識別された紙幣以外の紙幣Ｓの中で偽券（異常紙幣）と識別された紙幣Ｓを回収のため収納可能な機内備え付けの金庫からなる偽券回収部（受入部）３０が接続され、搬送路２３の中間位置には、偽券と識別された紙幣Ｓが偽券回収部３０へ回収されることを検出する偽券回収検出センサ３１が設けられている。
【００３６】
識別部２８によって真券と識別された紙幣以外の紙幣Ｓであって偽券と識別されなかった紙幣Ｓ、例えば重送や斜行等の異常搬送券を含む識別不能券については、搬送部２１でそのまま放出口１３に向けて搬送され、放出口１３より顧客に返却される。また、一時貯留部２９に収納した紙幣Ｓが、返却時には搬送部２２、搬送部２４および搬送部２１を介して放出口１３に向けて搬送され、放出口１３より顧客に返却される。このため、搬送部２２の縦搬送部２２ａは、正転時には一時貯留部２９に向けて紙幣Ｓを搬送し、逆転時には一時貯留部２９から紙幣Ｓを逆に搬送するようになっている。
【００３７】
放出口１３の機体奥側にも、放出口１３に放出された後に取り忘れとなった紙幣Ｓを、一枚ずつ分離して機内に繰り出す分離繰出部３４が設けられている。放出口１３と分離繰出部３４とが、識別部２８で識別不可の紙幣Ｓを機外に取出可能に返却するとともに一時貯留部２９から繰り出された紙幣Ｓを機外に取出可能に返却する一つの共通放出部（第１返却部，第２返却部，共通返却部）３５を構成している。
【００３８】
分離繰出部３４の機体奥側には、分離繰出部３４から繰り出された、放出口１３で取り忘れとなった紙幣Ｓを搬送する搬送部３８が設けられており、この搬送部３８の末端位置には、共通放出部３５の取り忘れの紙幣（異常紙幣）を回収のため収納可能な機内備え付けの金庫からなる共通取忘回収部（受入部，第１取忘回収部，第２取忘回収部）３９が接続されている。また、搬送部３８の中間位置には、取り忘れの紙幣Ｓが共通取忘回収部３９へ回収されることを検出する取忘回収検出センサ４０が設けられている。なお、共通放出部３５における分離繰出部３４の構成は必ずしも必要ではなく、放出口１３に放出された後に取り忘れとなった複数枚の紙幣Ｓを一括して共通取忘回収部３９に搬送し収納できる構成であってもよい。
【００３９】
紙幣処理機１１には、搬送部２２の縦搬送部２２ａと連続するように下方に若干延出した後、水平に沿って前方に延出して最後に下方に延出する搬送部４４が設けられており、さらに、搬送部４４の途中位置から分岐して下方に延出する搬送部４５および搬送部４６が設けられている。これらの搬送部４４〜４６の末端位置には、一時貯留部２９から繰り出された紙幣Ｓを所定の種類別、または、金種混合のいずれかの状態で収納する収納庫４７〜４９が接続されている。これら収納庫４７〜４９が一時貯留部２９から繰り出された紙幣Ｓを収納する収納部５０を構成している。
【００４０】
第１実施形態においては、一時貯留部２９が、一時貯留のために紙幣Ｓを繰出可能に収納するとともに、偽券回収部３０および共通取忘回収部３９に回収された紙幣Ｓを各処理毎に区別するための図２に示す仕切シートＸをも繰出可能に収納するようになっている。このため、搬送部２２の縦搬送部２２ａの逆転により、仕切シートＸを一時貯留部２９から搬出し搬送路２３によって偽券回収部３０に収納したり、一時貯留部２９から搬出し搬送部２４，２１によって放出口１３に案内したりするようになっている。そして、放出口１３に案内された仕切シートＸは搬送部３８を介して共通取忘回収部３９に収納される。仕切シートＸは、偽券回収部３０に収納されると、それまでに偽券回収部３０に上下に集積されて収納されていた紙幣Ｓの上に重ねられて収納されることになり、共通取忘回収部３９に収納されると、それまでに共通取忘回収部３９に上下に集積されて収納されていた紙幣Ｓの上に重ねられて収納されることになる。
【００４１】
上記した一時貯留部２９には、紙幣集積ドラム（ドラム）５５が入出口２９Ａ側に、テープ巻戻しドラム５６（ドラム）が入出口２９Ａとは反対側に、互いに平行をなすように配置されている。一方の紙幣集積ドラム５５にテープＴの一端が固定され、このテープＴの他端が他方のテープ巻戻しドラム５６に固定されることで、これら一対の紙幣集積ドラム５５およびテープ巻戻しドラム５６間にテープＴが一本のみ張り渡されている。そして、テープＴを一方の紙幣集積ドラム５５に巻き付ける際には、他方のテープ巻戻しドラム５６はテープＴを媒介に連動し回動してテープＴを繰り出すことになる。逆に他方のテープ巻戻しドラム５６にテープＴを巻き付ける際には、一方の紙幣集積ドラム５５はテープＴを媒介に連動し回動してテープＴを繰り出すことになる。
【００４２】
紙幣集積ドラム５５に巻き付けられたテープＴは、紙幣集積ドラム５５の下部から、搬送部２２の末端の横搬送路２２ｂと略同一直線をなすように入出口２９Ａ側に延出されることになり、ローラ５７によって下側に折り返され入出口２９Ａとは反対側のローラ５８とローラ５９とで案内されて入出口２９Ａとは反対側に延出した後、ローラ５９から上方に向けて延出してテープ巻戻しドラム５６に巻き付けられる。このとき、テープＴは、テープ巻戻しドラム５６の入出口２９Ａ側から下方に延出するように巻き付けられる。
【００４３】
そして、紙幣Ｓの一時貯留時には、搬送部２２で一枚ずつ分離された状態で搬送されてきた紙幣Ｓが、縦搬送部２２ａの搬送駆動力で横搬送路２２ｂから一時貯留部２９の入出口２９Ａへ一定速度で送り込まれる。このとき、テープ巻戻しドラム５６および紙幣集積ドラム５５は、所定の紙幣収納方向（図１における反時計回り方向）に回転しており、搬送部２２から送り出された紙幣Ｓは、図２に示すように、その短辺方向の中間位置がテープＴに重ね合わせられてテープＴとともに、テープＴのすでに紙幣集積ドラム５５に巻き付けられている部分に巻き付けられることでテープＴの間に挟持される。一時貯留部２９に順次送り込まれる紙幣が、上記のようにして紙幣集積ドラム５５にテープＴとともに巻き付けられることになって、紙幣集積ドラム５５に集積状態で収納される。このように、テープ巻戻しドラム５６でテープＴを繰り出しつつ紙幣集積ドラム５５でテープＴを巻き取って、紙幣集積ドラム５５に、一時貯留部２９に搬送部２２から送り込まれた紙幣Ｓを収納する（図３（ａ）参照）。これが巻取り動作である。
【００４４】
逆に、テープ巻戻しドラム５６および紙幣集積ドラム５５が、上記と反対の所定の紙幣繰出方向（図３における時計回り方向）に回転することで、紙幣集積ドラム５５に集積されていた紙幣Ｓは、テープＴのこれに重なる部分とともに紙幣集積ドラム５５から離れて繰り出され、一時貯留部２９の入出口２９ＡでテープＴから分離されて搬送部２２へと繰り出される。このように、テープ巻戻しドラム５６でテープＴのみを巻取りつつ紙幣集積ドラム５５でテープＴを繰り出して、紙幣集積ドラム５５に収納していた紙幣Ｓを、一時貯留部２９から搬送部２２に送り出す（図３（ｂ）参照）。これが巻戻し動作である。
【００４５】
このように、紙幣集積ドラム５５とテープ巻戻しドラム５６との間でテープＴの巻取り動作および巻戻し動作を行うことにより、一枚ずつ導入される紙幣Ｓの集積収納および分離繰り出しを行う。なお、テープＴの両端（始端および終端）は、それぞれ、紙幣集積ドラム５５およびテープ巻戻しドラム５６のうちの対応するものの外周面に図示せぬ取付部材によって取り付けられ、その後、巻き付けられている。
【００４６】
一時貯留部２９の紙幣Ｓを図１に示す収納部５０に搬送する際には、搬送部２２の縦搬送部２２ａおよび搬送部４４が上記と同様の一定速度で回転駆動されており、一時貯留部２９から繰り出された紙幣Ｓが搬送部４４〜４６を介して収納部５０に向けて搬送される。他方、一時貯留部２９の紙幣Ｓを共通放出部３５に返却する際には、搬送部２２の縦搬送部２２ａが上記と同様の一定速度で上記とは搬送方向を逆転させて駆動されることになり、一時貯留部２９から繰り出された紙幣Ｓが搬送部２２，２４，２１を介して共通放出部３５に向け搬送される。
【００４７】
ここで、第１実施形態においては、上記したように、一時貯留部２９が、一時貯留のために紙幣Ｓを繰出可能に収納するとともに、偽券回収部３０および共通取忘回収部３９の紙幣Ｓを各処理毎に区別するための図２に示す仕切シートＸを繰出可能に収納するようになっている。このため、テープＴが、テープ巻戻しドラム５６への固定端側の所定範囲の紙幣用テープ部ＴＡと、紙幣集積ドラム５５への固定端側の所定範囲の仕切シート用テープ部ＴＢとを有している。なお、一時貯留部２９の紙幣Ｓの一時貯留収納枚数を多くするため、テープＴの両端のいずれか近傍付近、具体的には紙幣集積ドラム５５側の端部近傍に仕切シート用テープ部ＴＢが設けられている。また、一時貯留部２９の一時貯留収納枚数として想定した紙幣Ｓの限度枚数と、予め収納すべきとして想定した仕切シートＸの事前装填枚数とを考慮して、テープＴの長さが設定されている。
【００４８】
紙幣用テープ部ＴＡは、上記のように紙幣Ｓを収納するための部分であり、テープ巻戻しドラム５６への固定端を含む所定範囲の幅広の巻取りエンド領域ＴＡａと、この巻取りエンド領域ＴＡａのテープ巻戻しドラム５６への固定端とは反対側の所定範囲の幅狭の巻取りニアエンド領域ＴＡｂと、この巻取りニアエンド領域ＴＡｂの巻取りエンド領域ＴＡａとは反対側の所定範囲の幅広の紙幣収納領域ＴＡｃとを有している。
【００４９】
また、仕切シート用テープ部ＴＢは、上記した紙幣Ｓとは異なる仕切シートＸを収納するための部分であり、紙幣集積ドラム５５への固定端を含む所定範囲の幅狭の巻戻しエンド領域ＴＢａと、この巻戻しエンド領域ＴＢａの紙幣集積ドラム５５への固定端とは反対側の所定範囲の幅広の巻戻しニアエンド領域ＴＢｂと、この巻戻しニアエンド領域ＴＢｂの巻戻しエンド領域ＴＢａとは反対側の所定範囲の幅狭の仕切シート収納領域ＴＢｃとを有している。この仕切シート収納領域ＴＢｃが紙幣用テープ部ＴＡの紙幣収納領域ＴＡｃと隣り合っている。なお、幅広の巻取りエンド領域ＴＡａ、紙幣収納領域ＴＡｃおよび巻戻しニアエンド領域ＴＢｂは互いに同じ幅となっており、幅狭の巻取りニアエンド領域ＴＡｂ、仕切シート収納領域ＴＢｃおよび巻戻しエンド領域ＴＢａも互いに同じ幅となっている。勿論、テープＴの領域ＴＡａ〜ＴＡｃ，ＴＢａ〜ＴＢｃの幅をすべて異ならせるようにしても良い。
【００５０】
そして、図１に示すように、紙幣集積ドラム５５の近傍には、テープＴの紙幣集積ドラム５５から横搬送路２２ｂと略同一直線をなすように入出口２９Ａに向け延出される入出路位置の幅の相違を検出することで、テープＴの各領域ＴＡａ〜ＴＡｃ，ＴＢａ〜ＴＢｃを検出する領域識別センサ６２が設けられている。すなわち、図２に示すように、テープＴは、すべての領域ＴＡａ〜ＴＡｃ，ＴＢａ〜ＴＢｃが、隣り合うものとで幅が相違するようになっており、この幅の異なる隣り合う領域の境界位置を領域識別センサ６２で検知するようになっている。
【００５１】
具体的に、上記した巻戻し動作によって、テープＴが紙幣集積ドラム５５から最も繰り出されテープ巻戻しドラム５６に最も巻き付けられた巻戻しエンド状態では、領域識別センサ６２が、テープＴの幅狭の巻戻しエンド領域ＴＢａと幅広の巻戻しニアエンド領域ＴＢｂとの境界位置を検出した状態にあり、この状態から、巻取り動作が行われると、領域識別センサ６２が、幅広の巻戻しニアエンド領域ＴＢｂを検出後、幅狭の仕切シート収納領域ＴＢｃを検出する。このようにして、仕切シート用テープ部ＴＢが紙幣集積ドラム５５に巻き付けられることになり、その後、領域識別センサ６２が、幅狭の仕切シート収納領域ＴＢｃから幅広の紙幣収納領域ＴＡｃを検出することになる。続く、幅広の紙幣収納領域ＴＡｃの検出中は、紙幣用テープ部ＴＡの紙幣収納領域ＴＡｃが紙幣集積ドラム５５に巻き付けられることになり、幅広の紙幣収納領域ＴＡｃと幅狭の巻取りニアエンド領域ＴＡｂとの境界位置が検出されると、紙幣用テープ部ＴＡがニアエンド位置となり、次に、幅狭の巻取りニアエンド領域ＴＡｂと幅広の巻取りエンド領域ＴＡａとの境界位置が検出されると、紙幣用テープ部ＴＡがエンド位置となって、図３（ａ）に示すように、テープＴが最もテープ巻戻しドラム５６から繰り出され最も紙幣集積ドラム５５に巻き付けられた巻取りエンド状態となる。
【００５２】
このように巻取り動作によって、テープＴがテープ巻戻しドラム５６から最も繰り出され紙幣集積ドラム５５に最も巻き付けられた巻取りエンド状態では、上記したように、領域識別センサ６２が、テープＴの幅広の巻取りエンド領域ＴＡａと幅狭の巻取りニアエンド領域ＴＡｂとの境界位置を検出した状態にあり、この状態から、巻戻し動作が行われると、領域識別センサ６２が、幅狭の巻取りニアエンド領域ＴＡｂを検出後、幅広の紙幣収納領域ＴＡｃを検出する。このようにして、紙幣用テープ部ＴＡがテープ巻戻しドラム５６に巻き付けられることになり、その後、領域識別センサ６２が、幅広の紙幣収納領域ＴＡｃから幅狭の仕切シート収納領域ＴＢｃを検出することになる。続く、幅狭の仕切シート収納領域ＴＢｃの検出中は、仕切シート用テープ部ＴＢの仕切シート収納領域ＴＢｃがテープ巻戻しドラム５６に巻き付けられることになり、幅狭の仕切シート収納領域ＴＢｃと幅広の巻戻しニアエンド領域ＴＢｂとの境界位置が検出されると、仕切シート用テープ部ＴＢがニアエンド位置となり、次に、幅広の巻戻しニアエンド領域ＴＢｂと幅狭の巻戻しエンド領域ＴＢａとの境界位置が検出されると、仕切シート用テープ部ＴＢがエンド位置となって、図３（ｂ）に示すように、テープＴが最も紙幣集積ドラム５５から繰り出され最もテープ巻戻しドラム５６に巻き付けられた巻戻しエンド状態となる。
【００５３】
このように、仕切シート用テープ部ＴＢと他のテープ部である紙幣用テープ部ＴＡとは、互いの境界側の仕切シート収納領域ＴＢｃおよび紙幣収納領域ＴＡｃの幅が異なっており、この幅の違いで区別されている（区別手段）。なお、テープＴの幅が変化する各領域ＴＡａ〜ＴＡｃ，ＴＢａ〜ＴＢｃの境界位置は、紙幣Ｓおよび仕切シートＸのいずれも保持する部分ではなく、紙幣Ｓあるいは仕切シートＸで領域識別センサ６２による検出が妨げられることはない。また、領域識別センサ６２は、テープＴの幅以外にも、テープＴよりも幅広の紙幣Ｓおよび仕切シートＸの紙幣集積ドラム５５に対する入出をも検出する。
【００５４】
ここで、仕切シート用テープ部ＴＢと紙幣用テープ部ＴＡとの区別を含む上記した巻取りエンド領域ＴＡａ、巻取りニアエンド領域ＴＡｂ、紙幣収納領域ＴＡｃ、仕切シート収納領域ＴＢｃ、巻戻しニアエンド領域ＴＢｂおよび巻戻しエンド領域ＴＢａの区別は、テープの幅の相違に限らず、色の相違、光の透過率の相違、模様の相違等を採用でき、その場合、それぞれに応じた領域識別センサを採用することになる。
【００５５】
紙幣用テープ部ＴＡは、上記のように紙幣Ｓとともに紙幣集積ドラム５５に巻き付けられることで紙幣Ｓを一枚ずつ順に収納したり、紙幣集積ドラム５５から繰り出されることで収納していた紙幣Ｓを一枚ずつ順に繰り出したりする部分である。紙幣Ｓを収納するための紙幣収納領域ＴＡｃは、紙幣Ｓを搬送部２２の搬送速度により設定される所定の間隔で所定枚数収納可能な長さを有している。一時貯留部２９は、通常、この紙幣用テープ部ＴＡだけを紙幣集積ドラム５５から繰り出すようになっている。
【００５６】
仕切シート用テープ部ＴＢは、紙幣Ｓとは異なる仕切シートＸとともに紙幣集積ドラム５５に巻き付けられることで仕切シートＸを一枚ずつ順に収納したり、紙幣集積ドラム５５から繰り出されることで収納していた仕切シートＸを一枚ずつ順に繰り出したりする部分となっている。言い換えれば、一時貯留部２９は、一方の紙幣集積ドラム５５に少なくとも一つの仕切シートＸを、テープＴのうちの紙幣Ｓを収納するための紙幣用テープ部ＴＡよりも紙幣集積ドラム５５への固定端側の仕切シート用テープ部ＴＢとともに巻き付けて繰出可能に収納している。仕切シートＸを収納するための仕切シート収納領域ＴＢｃは、仕切シートＸを搬送部２２の搬送速度により設定される所定の間隔で所定枚数収納可能な長さを有している。仕切シート用テープ部ＴＢは、通常、紙幣集積ドラム５５に巻き付けられた状態が維持されていて、必要な場合のみ、紙幣集積ドラム５５から繰り出される。
【００５７】
なお、仕切シートＸは、紙幣処理機１１での取り扱いに都合の良い大きさの範囲内で、紙幣Ｓと長辺方向および短辺方向の長さが明確に区別されるそれぞれの長さで構成されている。なお、仕切シートＸには、識別部２８によって仕切シートＸであることを識別可能な情報が読み取り可能に記録されており、例えば、識別部２８によって読み取り可能な識別管理番号１，２，３，４，５，・・・等が記録されている。
【００５８】
図１に示すように、紙幣処理機１１は、その作動を制御する制御部６５と、情報を記憶する記憶部６６と、操作者に向けて画像表示を行う表示部６７と、操作者に向けて音声出力を行う音声発生部６８と、操作者の操作入力を受け付ける操作部６９と、外部と通信する通信部７０とを有している。制御部６５は、上記した識別部２８、投入検出センサ１５、残留検出センサ１７、偽券回収検出センサ３１、取忘回収検出センサ４０、領域識別センサ６２等からの信号を受けて各部を制御する。
【００５９】
以上に述べた第１実施形態の紙幣処理機１１の作動について説明する。なお、投入口シャッタ１４は閉状態が待機状態であり、放出口シャッタ１６も閉状態が待機状態となっている。また、一時貯留部２９は、領域識別センサ６２で、テープＴの紙幣用テープ部ＴＡと仕切シート用テープ部ＴＢとの境界位置つまり紙幣収納領域ＴＡｃと仕切シート収納領域ＴＢｃとの境界位置が検出され、テープＴの仕切シート用テープ部ＴＢが紙幣集積ドラム５５に巻き付けられた状態が待機状態となっている（図３（ｃ）参照）。
【００６０】
〔仕切シート補充処理モード〕
仕切シート補充処理モードは、仕切シートＸを一時貯留部２９に収納するためのモードであり、例えば、一日の業務開始のための準備段階で実行されるものである。仕切シート補充処理モードが操作部６９に選択入力されると、制御部６５は、仕切シート補充処理を実行する。つまり、まず、一時貯留部２９の仕切シートＸが最大収納状態にあるか、仕切シートＸが最大収納状態にはないものの仕切シートＸが残存している状態にあるか、仕切シートＸがない状態にあるかを記憶部６６の情報から判定する。一時貯留部２９の仕切シートＸが最大収納状態にある場合、制御部６５は、表示部６７および音声発生部６８により仕切シートＸが最大収納状態にあることを報知して今回の仕切シート補充処理モードを終了する。
【００６１】
他方、仕切シートＸが最大収納状態にはないものの一時貯留部２９に残存している状態にある場合、制御部６５は、投入口シャッタ１４を開いて投入口１２を開放し、表示部６７に仕切シートＸの投入を促す表示を表示させるとともに、紙幣集積ドラム５５、テープＴおよびテープ巻戻しドラム５６に巻戻し動作を実行させ、繰出側の一枚目の仕切シートＸの先端を領域識別センサ６２で検出した時点で、紙幣集積ドラム５５、テープＴおよびテープ巻戻しドラム５６を停止させる。
【００６２】
また、仕切シートＸの残数がない場合、制御部６５は、投入口シャッタ１４を開いて投入口１２を開放し、表示部６７に仕切シートＸの投入を促す表示を表示させるとともに、紙幣集積ドラム５５、テープＴおよびテープ巻戻しドラム５６に巻戻し動作を実行させ、図３（ｂ）に示す巻戻しエンド状態となると、紙幣集積ドラム５５およびテープ巻戻しドラム５６を停止させる。ここで、制御部６５は、巻戻し動作中、領域識別センサ６２が、幅狭の仕切シート収納領域ＴＢｃと幅広の巻戻しニアエンド領域ＴＢｂとの境界位置を検出するまでは、紙幣集積ドラム５５およびテープ巻戻しドラム５６を高速回転させることになり、この境界位置が検出されると、紙幣集積ドラム５５およびテープ巻戻しドラム５６を低速回転に切り替え、最終的に、領域識別センサ６２で幅広の巻戻しニアエンド領域ＴＢｂと幅狭の巻戻しエンド領域ＴＢａとの境界位置が検出されると、紙幣集積ドラム５５、テープＴおよびテープ巻戻しドラム５６を停止させる。なお、制御部６５は、巻戻し動作において常にこの制御を行う。
【００６３】
上記のように投入口１２が開放されると、操作者が、一枚あるいは複数枚の仕切シートＸを投入口１２内に投入する。複数枚の仕切シートＸを投入する場合、操作者は、長辺方向を揃え、短辺方向も揃えて、厚さ方向に集積した状態で、投入口１２内に投入する。そして、投入検出センサ１５で仕切シートＸが検出された状態で処理の開始の指示が操作部６９に入力されると、制御部６５は、投入口シャッタ１４を閉じる。次に、紙幣集積ドラム５５、テープＴおよびテープ巻戻しドラム５６が上記の停止状態にあることを条件に、制御部６５は、分離繰出部１９および搬送部２１，２２を正転駆動する。すると、投入口１２内の仕切シートＸを分離繰出部１９で一枚ずつ分離して搬送部２１に繰り出し、識別部２８で識別して、識別管理番号を記憶しつつ搬送部２１，２２で搬送する。そして、仕切シートＸの識別部２８での検出タイミングに基づいて一時貯留部２９の紙幣集積ドラム５５、テープＴおよびテープ巻戻しドラム５６に巻取り動作を行わせて、仕切シートＸを所定の間隔で順次収納する。つまり、回転する紙幣集積ドラム５５に、仕切シートＸを順次所定の間隔をあけて、テープＴの仕切シート収納領域ＴＢｃとともに巻き付けて収納する。そして、所定枚数の仕切シートＸの収納後に、仕切シート用テープ部ＴＢと紙幣用テープ部ＴＡとの境界位置つまり幅狭の仕切シート収納領域ＴＢｃと幅広の紙幣収納領域ＴＡｃとの境界位置が領域識別センサ６２により検出されると、制御部６５は、図３（ｃ）に示すように、紙幣集積ドラム５５、テープＴおよびテープ巻戻しドラム５６を停止させて一時貯留部２９を待機状態とする。
【００６４】
なお、識別部２８は、仕切シート補充処理の実行中に、仕切シートＸの数を計数しており、識別部２８が仕切シート収納領域ＴＢｃの範囲内に収納可能な所定枚数を超える仕切シートＸを検出すると、制御部６５は、この仕切シートＸを含む以降の仕切シートＸを搬送部２１で放出口１３に放出する。また、制御部６５は、識別部２８で識別不能であった仕切シートＸについても放出口１３に放出する。加えて、一時貯留部２９に送り込むことができた仕切シートＸの枚数が、一時貯留部２９を最大収納状態とする枚数に足りない場合は、送り込まれた仕切シートＸのみを収納させる。そして、仕切シート補充処理の実行中に、投入口１２の仕切シートＸがなくなったことが投入検出センサ１５で検出されると、制御部６５は、分離繰出部１９を停止させることになり、その後、すべての仕切シートＸの、一時貯留部２９および放出口１３のいずれか対応するものへの搬送が終了した時点で、搬送部２１，２２を停止させる。
【００６５】
なお、仕切シート補充処理の実行中に放出口１３に放出された仕切シートＸがある場合、制御部６５は、上記した搬送部２１，２２の停止後に、放出口シャッタ１６を開いて放出口１３を開放するとともに、仕切シートＸの取り出しを促す表示および音声出力を表示部６７および音声発生部６８に実行させる。そして、残留検出センサ１７で仕切シートＸが検出されなくなると、放出口シャッタ１６を閉じて放出口１３を閉鎖し、今回の仕切シート補充処理モードを終了する。他方、仕切シート補充処理の実行中に放出口１３に放出される仕切シートＸがなければ、制御部６５は、すべての仕切シートＸの一時貯留部２９への搬送が終了した時点で搬送部２１，２２を停止させることになり、上記のように、所定枚数の仕切シートＸの収納後に検出される、仕切シート用テープ部ＴＢと紙幣用テープ部ＴＡとの境界位置が領域識別センサ６２で検出され、紙幣集積ドラム５５およびテープ巻戻しドラム５６を停止させて待機状態にすると、今回の仕切シート補充処理モードを終了する。
【００６６】
〔入金処理モード（通常処理モード）〕
紙幣Ｓを紙幣処理機１１に入金する通常処理モードの入金処理モードが操作部６９に選択入力されると、制御部６５は、入金処理を実行する。つまり、まず投入口シャッタ１４を開いて投入口１２を開放し、表示部６７に紙幣Ｓの投入を促す表示を表示させる。このように投入口１２が開放されると、操作者が、一枚あるいは複数枚の紙幣Ｓを投入口１２内に投入する。複数枚の紙幣Ｓを投入する場合、操作者は、これら紙幣の長辺方向を揃え、短辺方向も揃えて、厚さ方向に集積した紙幣群ＳＳの状態で、投入口１２内に投入する。そして、投入検出センサ１５で紙幣Ｓが検出された状態で入金処理の開始の指示が操作部６９に入力されると、制御部６５は、投入口シャッタ１４を閉じて投入口１２を閉鎖する。次に、制御部６５は、分離繰出部１９および搬送部２１，２２を正転駆動し、投入口１２内の紙幣Ｓを分離繰出部１９で一枚ずつ分離して搬送部２１に繰り出し、識別部２８で識別する。そして、識別部２８により真券と識別された紙幣Ｓを搬送部２１，２２で一時貯留部２９に搬送し、識別部２８で偽券と識別された紙幣Ｓを搬送部２１，２２および搬送路２３で偽券回収部３０に搬送し、識別部２８によって識別不能券と識別された紙幣Ｓを、搬送部２１でそのまま放出口１３に向けて搬送する。
【００６７】
一時貯留部２９に搬送された紙幣Ｓは、一時貯留部２９でテープＴとともに紙幣集積ドラム５５に巻き付けられて順次収納される。つまり、識別部２８での検出タイミングに合わせて紙幣集積ドラム５５、テープＴおよびテープ巻戻しドラム５６に巻取り動作を行わせることになり、回転する紙幣集積ドラム５５に、紙幣Ｓを順次所定の間隔をあけて、テープＴの紙幣収納領域ＴＡｃとともに順次巻き付けて収納する。そして、投入口１２の紙幣Ｓがなくなったことが投入検出センサ１５で検出されると、制御部６５は、分離繰出部１９を停止させることになり、識別部２８で最後に真券と識別された紙幣Ｓが一時貯留部２９に収納されるタイミングで、制御部６５は、紙幣集積ドラム５５、テープＴおよびテープ巻戻しドラム５６を停止させるとともに（図３（ａ）参照）、投入されたすべての紙幣Ｓの、一時貯留部２９、偽券回収部３０および放出口１３のいずれか対応するものへの搬送が終了した時点で、搬送部２１，２２を停止させる。そして、今回処理の識別部２８の識別結果を、記憶部６６に記憶するとともに表示部６７に表示させる。なお、入金処理中に放出口１３に放出された紙幣Ｓがある場合、制御部６５は、搬送部２１，２２の停止後に、放出口シャッタ１６を開いて放出口１３を開放するとともに、紙幣Ｓの取り出しを促す表示および音声出力を表示部６７および音声発生部６８に実行させる。
【００６８】
表示部６７に表示された識別結果の確認後、操作者が操作部６９に承認操作を入力すると、制御部６５は、入金処理の収納処理を開始する。収納処理では、搬送部４４〜４６を正転駆動して、一時貯留部２９に巻戻し動作を行わせることになり、紙幣集積ドラム５５にテープＴの紙幣収納領域ＴＡｃとともに巻き付けられていた紙幣Ｓを順次繰り出すことになる。そして、一時貯留部２９から繰り出された紙幣Ｓを記憶部６６に記憶された識別情報に基づいて、あるいは一括でそれぞれ収納庫４７〜４９のうちの対応するものに振り分けて収納させる。一時貯留部２９の巻戻し動作中に、領域識別センサ６２で、紙幣用テープ部ＴＡと仕切シート用テープ部ＴＢとの境界位置が検出されると、制御部６５は、図３（ｃ）に示すように、紙幣集積ドラム５５、テープＴおよびテープ巻戻しドラム５６を停止させる。この時点では、一時貯留部２９の仕切シートＸは、紙幣集積ドラム５５に収納された状態のままとなる。
【００６９】
そして、一時貯留部２９からすべての紙幣Ｓが繰り出され、これらの紙幣Ｓがすべて収納庫４７〜４９のうちの対応するものに収納されるタイミングで、制御部６５は、搬送部４４〜４６を停止させるとともに、今回の入金処理の実行中に識別部２８が偽券と識別した紙幣Ｓがあるか否かと、今回の入金処理の実行中に識別部２８が識別不能券と識別した紙幣Ｓがあるか否かとを判断する。
【００７０】
今回の入金処理の実行中に、偽券と識別した紙幣Ｓがなく識別不能券と識別した紙幣Ｓもなければ、制御部６５は、今回の入金処理モードを終了する。また、今回の入金処理の実行中に、偽券と識別した紙幣Ｓがあり識別不能券と識別した紙幣Ｓがない場合、制御部６５は、以下の偽券用仕切シート配布動作のみを行ってから、今回の入金処理モードを終了する。また、今回の入金処理の実行中に、偽券と識別した紙幣Ｓがあり識別不能券と識別した紙幣Ｓもあった場合、制御部６５は、以下の偽券用仕切シート配布動作を行った後、以下の取忘判断と、その結果により必要により取忘用仕切シート配布動作を行ってから、今回の入金処理モードを終了する。また、今回の入金処理の実行中に、偽券と識別した紙幣がなく識別不能券と識別した紙幣があった場合、制御部６５は、以下の取忘判断と、その結果により必要により取忘用仕切シート配布動作を行って、今回の入金処理モードを終了する。
【００７１】
「偽券用仕切シート配布動作（異常処理動作）」
制御部６５は、異常処理動作である偽券用仕切シート配布動作の開始にあたり、搬送部２２を逆転駆動し、待機状態にある一時貯留部２９の紙幣集積ドラム５５、テープＴおよびテープ巻戻しドラム５６に巻戻し動作を行わせて一枚の仕切シートＸを繰り出して搬送部２２および搬送路２３を介して偽券回収部３０に送り込むことになる。なお、紙幣集積ドラム５５から一枚の仕切シートＸが繰り出されたことが領域識別センサ６２で検出されると、制御部６５は、紙幣集積ドラム５５、テープＴおよびテープ巻戻しドラム５６を待機状態に戻す。このとき、繰り出された仕切シートＸの次およびそれ以降の仕切シートＸは、紙幣集積ドラム５５に収納された状態のままとなる。偽券回収部３０に仕切シートＸが収納されたことが偽券回収検出センサ３１で検出されると、制御部６５は、搬送部２２を停止させるとともに、この仕切シートＸに対して予め識別部２８で識別され記憶部６６に記憶されていた識別管理番号を、今回の偽券用仕切シート配布動作を含む入金処理（または後述の計数処理）の処理識別番号に関連付けして記憶部６６に記憶させて、偽券用仕切シート配布動作を終了する。
【００７２】
これにより、今回の処理の実行で偽券と識別され偽券回収部３０に強制回収された一枚以上の紙幣Ｓの上に仕切シートＸが配置されることになり、以降の処理の実行で偽券回収部３０に強制回収される紙幣Ｓは、この仕切シートＸの上に配置されることになって、区別される。つまり、偽券用仕切シート配布動作毎に、偽券と識別された紙幣Ｓの上に仕切シートＸが重ねられることになるため、仕切シートＸで仕切られることにより各偽券用仕切シート配布動作毎に紙幣Ｓが区別されることになり、言い換えれば、偽券用仕切シート配布動作を含む各処理毎に紙幣Ｓが区別されることになる。よって、業務終了後に、これらを偽券回収部３０からそのままの集積状態で取り出すことにより、処理毎に紙幣Ｓを区別できる。
【００７３】
「取忘判断」
制御部６５は、放出口１３の残留検出センサ１７で紙幣Ｓの有無を検出する。残留検出センサ１７で紙幣Ｓが検出されなければ、制御部６５は、開状態にあった放出口シャッタ１６を閉じて、取忘用仕切シート配布動作を行わずに終了する。他方、残留検出センサ１７で紙幣Ｓが検出されていると、制御部６５は、所定時間待機することになり、この所定時間経過前に残留検出センサ１７で紙幣Ｓが検出されなくなると、放出口シャッタ１６を閉じて、取忘用仕切シート配布動作を行わずに終了する。これに対して、所定時間経過しても残留検出センサ１７で紙幣Ｓが検出されていた場合、制御部６５は、一部または全部の紙幣Ｓの放出口１３での取り忘れが発生したと判断して、以下の取忘用仕切シート配布動作を実行する。
【００７４】
「取忘用仕切シート配布動作（異常処理動作）」
異常処理動作である取忘用仕切シート配布動作の開始に当たり、制御部６５は、放出口シャッタ１６を閉じた後、分離繰出部３４および搬送部３８を正転駆動して、放出口１３内の紙幣Ｓをすべて取り忘れの紙幣Ｓとして共通取忘回収部３９に収納させる。放出口１３内の紙幣Ｓがすべて共通取忘回収部３９に収納されたことが残留検出センサ１７および取忘回収検出センサ４０で検出されると、制御部６５は、分離繰出部３４および搬送部３８を停止させるとともに、搬送部２２を逆転駆動し、搬送部２１，２４を正転駆動して、一時貯留部２９にさらなる巻戻し動作を行わせて一枚の仕切シートＸを搬送部２２，２４，２１を介して放出口１３に放出させる。なお、一時貯留部２９の巻戻し動作により紙幣集積ドラム５５から一枚の仕切シートＸが繰り出されたことが領域識別センサ６２で検出されると、制御部６５は、紙幣集積ドラム５５、テープＴおよびテープ巻戻しドラム５６を待機状態に戻す。そして、残留検出センサ１７で仕切シートＸが放出口１３に放出されたことを検出すると、制御部６５は、搬送部２２，２４，２１を停止させるとともに、分離繰出部３４および搬送部３８を正転駆動して、放出口１３内の仕切シートＸを共通取忘回収部３９に収納させる。放出口１３内の仕切シートＸが共通取忘回収部３９に収納されたことが残留検出センサ１７および取忘回収検出センサ４０で検出されると、制御部６５は、分離繰出部３４および搬送部３８を停止させるとともに、この仕切シートＸに対して予め識別部２８で識別され記憶部６６に記憶されていた識別管理番号を、今回の取忘用仕切シート配布動作を含む入金処理（または後述する計数処理または後述する出金処理）の処理識別番号に関連付けして記憶部６６に記憶させて、取忘用仕切シート配布動作を終了する。
【００７５】
これにより、今回の処理の実行で発生し共通取忘回収部３９に強制回収された一枚または複数枚の取り忘れの紙幣Ｓの上に仕切シートＸが配置されることになり、以降の処理の実行で発生する取り忘れの紙幣Ｓは、この仕切シートＸの上に配置されることになって、区別される。つまり、取忘用仕切シート配布動作が発生する都度、取り忘れの紙幣Ｓの上に仕切シートＸが重ねられることになるため、仕切シートＸで仕切られることにより各取忘用仕切シート配布動作毎に取り忘れの紙幣Ｓが区別されることになり、言い換えれば、取忘用仕切シート配布動作を含む各処理毎に取り忘れの紙幣Ｓが区別されることになる。よって、業務終了後に、これらを共通取忘回収部３９からそのままの集積状態で取り出すことにより処理毎に紙幣Ｓを区別できる。なお、仕切シートＸを一時貯留部２９から共通取忘回収部３９に搬送する上記一連の取忘用仕切シート配布動作にあっては、放出口シャッタ１６は閉状態に維持され、放出口１３は閉じられたままとなる。
【００７６】
ここで、一の処理に対して偽券用仕切シート配布動作と取忘用仕切シート配布動作の両方を行う場合、一枚目の仕切シートＸを繰り出した後、二枚目の仕切シートＸを繰り出すまでは、一時貯留部２９を待機状態に戻さずにいても良い。
【００７７】
上記のように表示部６７に表示された入金処理による識別結果の確認後、操作者が操作部６９にキャンセル操作を入力すると、制御部６５は、放出口シャッタ１６が閉じられている場合はその状態のまま、放出口シャッタ１６が開かれている場合はこれを閉じた後、入金処理の返却処理を開始する。返却処理では、搬送部２２を逆転駆動し、搬送部２１，２４を正転駆動するとともに、一時貯留部２９の紙幣集積ドラム５５、テープＴおよびテープ巻戻しドラム５６に巻戻し動作を行わせることになり、紙幣集積ドラム５５にテープＴの紙幣収納領域ＴＡｃとともに巻き付けられていた紙幣Ｓを順次繰り出すことになる。これにより、一時貯留部２９から繰り出された紙幣Ｓがすべて放出口１３に放出される。一時貯留部２９の巻戻し動作中に、領域識別センサ６２によって、紙幣用テープ部ＴＡと仕切シート用テープ部ＴＢとの境界位置が検出されると、制御部６５は、紙幣集積ドラム５５、テープＴおよびテープ巻戻しドラム５６を停止させる。この時点では、一時貯留部２９の仕切シートＸは、紙幣集積ドラム５５に収納された状態のままとなる。
【００７８】
そして、一時貯留部２９からすべての紙幣Ｓが繰り出され、これら紙幣Ｓがすべて放出口１３に放出されるタイミングで、制御部６５は、搬送部２１，２２，２４を停止させるとともに、放出口シャッタ１６を開き、その後、上記した取忘判断を行い、その結果、所定時間経過しても残留検出センサ１７で紙幣Ｓが検出されていた場合、上記した取忘用仕切シート配布動作を実行する。
【００７９】
〔計数処理モード（通常処理モード）〕
紙幣Ｓを紙幣処理機１１で計数して返却する通常処理モードの計数処理モードが操作部６９に選択入力されると、制御部６５は、計数処理を実行する。つまり、入金処理と同様、まず投入口シャッタ１４を開いて投入口１２を開放し、表示部６７に紙幣Ｓの投入を促す表示を表示させる。そして、投入検出センサ１５で紙幣Ｓが検出された状態で処理の開始の指示が操作部６９に入力されると、制御部６５は、投入口シャッタ１４を閉じて投入口１２を閉鎖する。次に、制御部６５は、分離繰出部１９および搬送部２１，２２を正転駆動し、投入口１２内の紙幣Ｓを分離繰出部１９で一枚ずつ分離して搬送部２１に繰り出し、識別部２８で識別する。そして、識別部２８により真券と識別された紙幣Ｓを搬送部２１でそのまま放出口１３に向けて搬送し、識別部２８で偽券と識別された紙幣Ｓを搬送部２１および搬送路２３で偽券回収部３０に搬送し、識別部２８によって識別不能券と識別された紙幣Ｓを、搬送部２１でそのまま放出口１３に向けて搬送する。
【００８０】
そして、投入口１２の紙幣Ｓがなくなったことが投入検出センサ１５で検出されると、制御部６５は、分離繰出部１９を停止させることになり、投入されたすべての紙幣Ｓの、偽券回収部３０および放出口１３のいずれか対応するものへの搬送が終了した時点で、搬送部２１，２２を停止させる。制御部６５は、今回の計数処理の実行中に識別不能券がなければ、識別部２８の識別結果を、今回の計数処理の処理識別番号と関連付けて記憶部６６に記憶するとともに表示部６７に表示させる。他方、識別不能券があれば、偽券があった場合のみ偽券の識別情報を今回の計数処理の処理識別番号と関連付けて記憶部６６に記憶することになり、識別不能券があって偽券がなかった場合は、識別部２８の識別結果を記憶部６６に記憶しない。そして、識別不能券があった場合、制御部６５は、表示部６７には計数が適正に行われなかった旨を表示させる。
【００８１】
そして、制御部６５は、上記した搬送部２１，２２の停止後に、放出口シャッタ１６を開いて放出口１３を開放するとともに、紙幣Ｓの取り出しを促す表示および音声出力を表示部６７および音声発生部６８に実行させる。
【００８２】
次に、今回の計数処理の実行中に、識別部２８が偽券と識別した紙幣Ｓがあった場合は、上記した偽券用仕切シート配布動作を行った後、上記した取忘判断を行い、その結果、所定時間経過しても残留検出センサ１７で紙幣Ｓが検出されていた場合、上記した取忘用仕切シート配布動作を行ってから、今回の計数処理モードを終了する。また、今回の計数処理の実行中に、識別部２８が偽券と識別した紙幣Ｓがなかった場合は、上記した取忘判断を行い、その結果、所定時間経過しても残留検出センサ１７で紙幣Ｓが検出されていた場合、上記した取忘用仕切シート配布動作を行ってから、今回の計数処理モードを終了する。
【００８３】
以上において、制御部６５は、領域識別センサ６２の入出の検出結果から一時貯留部２９に収納されている仕切シートＸの枚数および今回の処理での仕切シートＸの繰り出しの枚数を把握しており、これに基づいて、上記した入金処理モードの実行後および計数処理モードの実行後（および後述する出金処理モードの実行後）のそれぞれに、仕切シートＸが一時貯留部２９で不足状態になったか否かを判断する。
【００８４】
ここで、一時貯留部２９に仕切シートＸがなくても、偽券回収部３０および共通取忘回収部３９のそれぞれについて、収納の最後位置（最上位置）に仕切シートＸがあれば、その後の一回に限り紙幣Ｓを収納しても以前の処理で収納された紙幣Ｓに対して紙幣Ｓの区別ができる。このため、入金処理モードおよび計数処理モード（および後述する出金処理モード）のいずれかの実行中に、一時貯留部２９に仕切シートＸがなくても、制御部６５は、偽券回収部３０および共通取忘回収部３９の少なくともいずれか一方に対して紙幣Ｓを収納し、円滑な業務運用につなげるようになっている。そして、この場合、今回の処理の処理識別番号に関連付けして記憶部６６に記憶する仕切シートＸの識別管理番号は「シートなし」として一時的に記憶する。
【００８５】
よって、今回の処理（入金処理または計数処理（または後述する出金処理））で、偽券回収部３０および共通取忘回収部３９の少なくともいずれか一方に対して紙幣Ｓを収納した後に仕切シートＸの配布ができなかった場合に限り、制御部６５は、仕切シートＸが一時貯留部２９で不足していると判断する。このため、一時貯留部２９に収納している仕切シートＸの数を厳密に管理していなくても、仕切シートＸを繰り出そうとして一時貯留部２９に巻戻し動作を行わせ、領域識別センサ６２で仕切シートＸが検出されずに巻戻しニアエンド領域ＴＢｂあるいは巻戻しエンド領域ＴＢａが検出されてしまった場合に、仕切シートＸが不足していると判断するようにしても良い。
【００８６】
そして、入金処理モードの実行後および計数処理モードの実行後（および後述する出金処理モードの実行後）に、一時貯留部２９での仕切シートＸが不足していると判断すると、制御部６５は、表示部６７および音声発生部６８に仕切シートＸの補充を指示する補充指示信号を出力するとともに、通信部７０を介して外部の管理担当部署あるいは管理センターの管理機に仕切シートＸの補充を指示する補充指示信号を出力する。すると、表示部６７および音声発生部６８が仕切シートＸの補充を報知することになり、外部の管理機も、仕切シートＸの補充を報知することになる。また、一時貯留部２９での仕切シートＸが不足していると判断すると、制御部６５は、上記した仕切シートＸを補充するための仕切シート補充処理モードに自動的に移行する。
【００８７】
上記の仕切シート補充処理モードが終了し、識別部２８および領域識別センサ６２の検出結果から、今回の仕切シート補充処理にて仕切シートＸが一時貯留部２９に補充されたと判断した場合に限り、制御部６５は、まず、「シートなし」が記憶されている、偽券回収部３０および共通取忘回収部３９の少なくともいずれか一方に、一時貯留部２９に補充された繰出側一枚目の仕切シートＸから「シートなし」に対応して仕切シートＸを収納させることになり、合わせて、記憶部６６に記憶されている仕切シートＸの識別管理番号を、「シートなし」から収納された仕切シートＸの識別管理番号に上書き変更する。このようにして「シートなし」状態をすべて解消した後、制御部６５は、通常処理モードである入金処理モードおよび計数処理モード（および後述する出金処理モード）への移行を許可する。つまり、仕切シートＸが一時貯留部２９に収納されている状態にならなければ、制御部６５は、通常処理モードである入金処理モードおよび計数処理モード（および後述する出金処理モード）への移行は禁止することになり、紙幣処理機１１は、入金処理モードおよび計数処理モード（および後述する出金処理モード）の実行が不可となる。
【００８８】
なお、制御部６５は、「シートなし」が記憶されている、偽券回収部３０および共通取忘回収部３９の少なくともいずれか一方が存在している状態で「仕切シート補充処理モード」を実行する場合、上記のように、すべての仕切シートＸを一時貯留部２９へ一旦補充した後、「シートなし」に対応して仕切シートＸの収納動作を行うのではなく、「シートなし」の偽券回収部３０および共通取忘回収部３９の少なくともいずれか一方に、補充側一枚目から「シートなし」に対応して仕切シートＸを送り込んで「シートなし」状態をすべて解消した後、残りの仕切シートＸを一時貯留部２９に補充し、合わせて、記憶部６６に記憶する仕切シートＸの識別管理番号を、「シートなし」から収納された仕切シートＸの識別管理番号に上書き変更するようにすることもできる。
【００８９】
なお、今回の処理で、偽券回収部３０および共通取忘回収部３９の少なくともいずれか一方に対して紙幣Ｓを収納し、収納した紙幣Ｓに対し、不足なく仕切シートＸの配布をした上で、一時貯留部２９に仕切シートＸがなくなった場合に、仕切シートＸが一時貯留部２９で不足していると判断して、表示部６７、音声発生部６８および外部の管理機に補充指示信号を出力するようにしても良い。このようにすれば、一時貯留部２９内の仕切シートＸが不足状態になった場合でも、次以降の処理において、紙幣Ｓが偽券回収部３０および共通取忘回収部３９の少なくともいずれか一方に収納されるまでの時間内は、紙幣処理機１１による取り引きを続けることができ、この間に仕切シートＸを補充すれば良く、円滑な業務運用が図れる。また、補充する仕切シートＸが何らかの事情によって、紙幣処理機１１の側に準備されていないことも想定され得るが、このような場合も、準備の時間を確保でき、不都合を回避することができる。この場合は、一時貯留部２９での仕切シートＸが不足していると判断しても、制御部６５は、上記した仕切シート補充処理モードに自動的に移行することなく、その後、仕切シートＸの配布を伴わない紙幣Ｓの収納が偽券回収部３０および共通取忘回収部３９の少なくともいずれか一方に対して行われた場合に、上記した仕切シート補充処理モードに自動的に移行することになる。勿論、一時貯留部２９に仕切シートＸがなくなった場合には、自動的に上記した仕切シート補充処理モードに移行するようにしても良い。
【００９０】
以上に述べた第１実施形態によれば、一対の紙幣集積ドラム５５およびテープ巻戻しドラム５６とこれらの間に張り渡されたテープＴとを備え、送り込まれる紙幣Ｓを一方の紙幣集積ドラム５５にテープＴとともに巻き付けて繰出可能に収納する一時貯留部２９が、一方の紙幣集積ドラム５５に仕切シートＸを、テープＴのうちの紙幣Ｓを収納するための紙幣用テープ部ＴＡよりも一方の紙幣集積ドラム５５への固定端側の仕切シート用テープ部ＴＢとともに巻き付けて収納しており、偽券回収部３０あるいは共通取忘回収部３９に紙幣Ｓを収納した場合に、一方の紙幣集積ドラム５５に収納している仕切シートＸを一時貯留部２９から繰り出して、偽券回収部３０あるいは共通取忘回収部３９に収納することになるため、同一の偽券回収部３０あるいは同一の共通取忘回収部３９に複数の紙幣Ｓを収納する際に、必要な位置に仕切シートＸを配置することができ、仕切シートＸで分類して金種および枚数を管理することができる。
【００９１】
つまり、各偽券用仕切シート配布動作毎に紙幣Ｓが区別されることになり、偽券用仕切シート配布動作を伴う各処理毎に紙幣Ｓが区別されることになるため、偽券用仕切シート配布動作（顧客）毎の、偽券と識別された紙幣Ｓに係る金種、枚数を管理すること等により効率的な運用が図られ良好となる。同様に、各取忘用仕切シート配布動作毎に紙幣Ｓが区別されることになり、取忘用仕切シート配布動作を伴う各処理毎に紙幣Ｓが区別されることになるため、取忘用仕切シート配布動作（顧客）毎の、取り忘れの紙幣Ｓに係る金種、枚数を管理すること等により効率的な運用が図られ良好となる。
【００９２】
しかも、仕切シートＸの識別管理番号を、偽券用仕切シート配布動作を伴う各処理毎の処理識別番号と関連付けて記憶部６６に記憶することになり、取忘用仕切シート配布動作を伴う各処理毎の処理識別番号と関連付けて記憶部６６に記憶することになるため、顧客業務終了後、偽券回収部３０および共通取忘回収部３９を開庫した場合に、図示せぬ上位機、例えばＡＴＭの取引データと、仕切シートＸによって仕分けされている偽券と識別された紙幣Ｓおよび取り忘れ紙幣Ｓからなる異常紙幣の金種、枚数とを精査することで、各処理（顧客）毎の偽券および取忘紙幣に係る金種、枚数を管理することができる。例えば、管理番号Ｎ１の仕切シート前の異常紙幣一枚ないし複数枚（以下、異常紙幣群という）は処理Ｍ１の異常紙幣群であるとして区別し、管理番号Ｎ１の仕切シートと管理番号Ｎ２の仕切シート間の異常紙幣群は処理Ｍ２の異常紙幣群であるとして区別し、以下同様に、管理番号Ｎｎの仕切シートと管理番号Ｎｎ＋１の仕切シート間の異常紙幣群は処理Ｍｎ＋１の異常紙幣群であるとして区別することができる。
【００９３】
加えて、仕切シートＸを、テープＴのうちの紙幣Ｓを収納するための紙幣用テープ部ＴＡよりも紙幣集積ドラム５５への固定端側の仕切シート用テープ部ＴＢとともに紙幣集積ドラム５５へ巻き付けて収納し、これを必要により繰り出すため、仕切シートＸを収納し繰り出すための専用の機構が不要になり、コストを低減することができる。
【００９４】
また、投入部２０に投入され識別部２８で偽券と識別された紙幣Ｓを収納する偽券回収部３０と、識別部２８で識別不可の紙幣Ｓを機外に取出可能に返却するとともに一時貯留部２９から繰り出された紙幣Ｓを機外に取出可能に返却する共通放出部３５で取り忘れられた紙幣Ｓを収納する共通取忘回収部３９とに対して、一時貯留部２９から仕切シートＸを導入することができるため、これら偽券回収部３０および共通取忘回収部３９に収納する紙幣Ｓを分類して管理することができる。
【００９５】
また、識別部２８で識別不可の紙幣および一時貯留部２９から繰り出された紙幣Ｓを機外に取出可能に返却する共通の共通放出部３５から取り忘れの紙幣Ｓを収納する共通取忘回収部３９にて、紙幣Ｓを分類して管理することができる。
【００９６】
また、テープＴは、仕切シートＸを収納するための仕切シート用テープ部ＴＢを他のテープ部である紙幣用テープ部ＴＡと幅を異ならせて区別する構成となっているため、領域識別センサ６２にて、これらを確実に区別することができ、正確な位置制御ができる。
【００９７】
また、制御部６５が、通常処理モード実行後に仕切シートＸが一時貯留部２９で不足していると判断すると、仕切シートＸを補充するための仕切シート補充処理モードに自動的に移行し、仕切シートＸが一時貯留部２９に補充された場合に限り、通常処理モードへの移行を許可するため、仕切シートＸの欠乏を確実に防ぐことができる。
【００９８】
また、制御部６５が、仕切シートＸが一時貯留部２９で不足していると判断すると、仕切シートＸの補充を指示する補充指示信号を出力するため、例えば、予備の仕切シートＸの保管場所が離れていたとしても、外部の管理担当部署や管理センター等に対して仕切シートＸの補充を指示することができ、円滑な業務運用を図ることができる。
【００９９】
なお、第１実施形態の紙幣処理機１１においては、偽券回収部３０および共通取忘回収部３９の二箇所に、一時貯留部２９から仕切シートＸを供給するように構成したが、いずれか一方のみに供給するようにしても良い。
【０１００】
また、第１実施形態の紙幣処理機１１においては、識別部２８で識別不可の紙幣Ｓおよび一時貯留部２９から繰り出された紙幣Ｓを機外に取出可能に返却する共通放出部３５を設け、この共通放出部３５に一つの共通取忘回収部３９を設ける場合を例にとり説明したが、識別部２８で識別不可の紙幣Ｓを機外に取出可能に返却する第１返却部と、一時貯留部２９から繰り出された紙幣Ｓを機外に取出可能に返却する第２返却部とを別々にし、第１返却部で取り忘れられた紙幣Ｓを収納する第１取忘回収部と、第２返却部で取り忘れられた紙幣を収納する第２取忘回収部とを別々に設けても良い。この場合は、偽券回収部３０、第１取忘回収部および第２取忘回収部のすべてに一時貯留部２９から仕切シートＸを供給するように構成したり、偽券回収部３０、第１取忘回収部および第２取忘回収部のいずれか二つに一時貯留部２９から仕切シートＸを供給するように構成したり、偽券回収部３０、第１取忘回収部および第２取忘回収部のいずれか一つに一時貯留部２９から仕切シートＸを供給するように構成したりすることができる。
【０１０１】
また、第１実施形態の紙幣処理機１１においては、紙幣Ｓおよび仕切シートＸをそれぞれの長辺方向を搬送方向に沿わせて搬送する場合を例にとり説明したが、短辺方向を搬送方向に沿わせて搬送するようにしても良い。この場合、一時貯留部２９のテープＴは、図４に示すように、上記よりも幅広となる。この場合も、図４に示すように領域ＴＡａ〜ＴＡｃ，ＴＢａ〜ＴＢｃの隣り合うもの同士を幅を異ならせて区別したり、色、光の透過率、模様等を異ならせて区別したりすることが可能である。
【０１０２】
次に、本発明の第２実施形態に係る紙幣処理機を主に図５を参照して第１実施形態との相違部分を中心に以下に説明する。
【０１０３】
第２実施形態では、一時貯留部２９の構成が第１実施形態と相違している。つまり、第１実施形態では、一つの紙幣集積ドラム５５と一つのテープ巻戻しドラム５６とに一本のテープＴが張り渡されていたが、第２実施形態の一時貯留部２９では、一つの紙幣集積ドラム５５に対して同期回転する二つのテープ巻戻しドラム５６，５６が設けられ、紙幣集積ドラム５５と一方のテープ巻戻しドラム５６との間に一本のテープＴが張り渡され、紙幣集積ドラム５５と他方のテープ巻戻しドラム５６との間に別の一本のテープＴが張り渡されている。
【０１０４】
つまり、第２実施形態の一時貯留部２９には、紙幣集積ドラム５５が入出口２９Ａと反対側に、一対のテープ巻戻しドラム５６，５６が入出口２９Ａ側に、それぞれ平行をなすように設置されている。そして、紙幣集積ドラム５５に一方のテープＴの一端および他方のテープＴの一端が同じ位置に固定された後、同じ方向に巻き付けられ、一方のテープＴの他端が一方のテープ巻戻しドラム５６に、他方のテープＴの他端が他方のテープ巻戻しドラム５６に、それぞれ固定された後、互いに逆向きに巻き付けられている。
【０１０５】
紙幣集積ドラム５５に巻き付けられた一方のテープＴは、紙幣集積ドラム５５の下部から、他方のテープＴと重なり合って搬送部２２の末端の横搬送路２２ｂと略同一直線をなすように入出口２９Ａ側に延出されることになり、ローラ７５によって上側に折り返され一方の上側のテープ巻戻しドラム５６に巻き付けられる。このとき、このテープＴは、テープ巻戻しドラム５６の入出口２９Ａ側上部から前下がりに延出するように巻き付けられる。他方のテープＴは、紙幣集積ドラム５５の下部から、一方のテープＴと重なり合って搬送部２２の末端の横搬送路２２ｂと略同一直線をなすように入出口２９Ａ側に延出され、ローラ７６によって下側に折り返され他方の下側のテープ巻戻しドラム５６に巻き付けられる。このとき、このテープＴは、テープ巻戻しドラム５６の入出口２９Ａ側下部から前上がりに延出するように巻き付けられる。
【０１０６】
そして、二本のテープＴ，Ｔを紙幣集積ドラム５５に巻き付ける際には、一方のテープ巻戻しドラム５６および他方のテープ巻戻しドラム５６がそれぞれテープＴを媒介に連動し回動してテープＴをそれぞれ繰り出すことになる。逆に一方のテープ巻戻しドラム５６に一方のテープＴを他方のテープ巻戻しドラム５６に他方のテープＴを巻き付ける際には、紙幣集積ドラム５５は両テープＴ，Ｔを媒介に連動し回動して両テープＴ，Ｔを繰り出すことになる。
【０１０７】
紙幣Ｓの一時貯留時には、搬送部２２の縦搬送部２２ａで一枚ずつ分離された状態で搬送されてきた紙幣Ｓが、縦搬送部２２ａの搬送駆動力で横搬送路２２ｂから一時貯留部２９の入出口２９Ａへ一定速度で送り込まれる。このとき、紙幣集積ドラム５５は、所定の紙幣収納方向（図５における反時計回り方向）に、一方の上側のテープ巻戻しドラム５６は、所定の紙幣収納方向（図５における反時計回り方向）に、他方の下側のテープ巻戻しドラム５６は、所定の紙幣収納方向（図５における時計回り方向）に回転しており、搬送部２２から送り出された紙幣Ｓは、その短辺方向の中央位置が両テープＴ，Ｔに挟持されて両テープＴ，Ｔとともに、両テープＴ，Ｔのすでに紙幣集積ドラム５５に巻き付けられている部分に巻き付けられる。一時貯留部２９に順次送り込まれる紙幣Ｓが、上記のようにして紙幣集積ドラム５５に両テープＴ，Ｔとともに巻き付けられることになって、紙幣集積ドラム５５に集積状態で収納される（図５（ａ）参照）。これが巻取り動作である。
【０１０８】
逆に、一対のテープ巻戻しドラム５６，５６および紙幣集積ドラム５５が、上記と反対の所定の紙幣繰出方向に回転することで、紙幣集積ドラム５５に集積されていた紙幣Ｓは、両テープＴ，Ｔに挟持された状態のまま紙幣集積ドラム５５から両テープＴ，Ｔとともに離れて繰り出され、一時貯留部２９の入出口２９Ａで両テープＴ，Ｔが離れることで両テープＴ，Ｔから分離されて搬送部２２へと繰り出される（図５（ｃ）参照）。これが巻戻し動作である。
【０１０９】
このように、一対のテープ巻戻しドラム５６，５６と紙幣集積ドラム５５との間でテープＴ，Ｔの巻取り動作および巻戻し動作を行うことにより、一枚ずつ導入される紙幣Ｓの集積収納および分離繰り出しを行う。
【０１１０】
ここで、第２実施形態においては、一時貯留部２９の両テープＴ，Ｔが、第１実施形態と同様の同一形状をなしている。
【０１１１】
そして、紙幣集積ドラム５５の近傍には、両テープＴ，Ｔの、紙幣集積ドラム５５から横搬送路２２ｂと略同一直線をなすように前方に延出される入出路位置の重なり部分の幅の相違を検出することで両テープＴ，Ｔの各領域ＴＡａ〜ＴＡｃ，ＴＢａ〜ＴＢｃを検出する第１実施形態と同様の領域識別センサ６２が設けられている。つまり、この入出路位置において両テープＴ，Ｔは、同じ領域が互いに重なり合うとともに同じ境界位置が互いに重なり合うことになり、各重なり合う部分を領域識別センサ６２が検出する。
【０１１２】
第２実施形態において、一時貯留部２９は、領域識別センサ６２で、両テープＴ，Ｔの重なり合う、紙幣用テープ部ＴＡと仕切シート用テープ部ＴＢとの境界位置つまり紙幣収納領域ＴＡｃと仕切シート収納領域ＴＢｃとの境界位置が検出された状態が待機状態となっている（図５（ｃ）参照）。
【０１１３】
このような第２実施形態においては、仕切シート補充処理の実行にあたって、制御部６５は、一時貯留部２９の仕切シートＸが最大収納状態にはないものの仕切シートＸが残存している状態にある場合、一時貯留部２９に対しては、待機状態にある紙幣集積ドラム５５、両テープＴ，Ｔおよび両テープ巻戻しドラム５６，５６に巻戻し動作を実行させ、繰出側の一枚目の仕切シートＸの先端を領域識別センサ６２で検出した時点で、紙幣集積ドラム５５、両テープＴ，Ｔおよび両テープ巻戻しドラム５６，５６を停止させる。また、一時貯留部２９の仕切シートＸの残数がない場合、制御部６５は、一時貯留部２９に対しては、待機状態にある紙幣集積ドラム５５、両テープＴ，Ｔおよび両テープ巻戻しドラム５６，５６に巻戻し動作を実行させ、両テープＴ，Ｔが、領域識別センサ６２で、巻戻しニアエンド領域ＴＢｂと巻戻しエンド領域ＴＢａとの境界位置が検出される巻戻しエンド状態となると、図５（ｂ）に示すように、紙幣集積ドラム５５、両テープＴ，Ｔおよび両テープ巻戻しドラム５６，５６を停止させる。
【０１１４】
そして、仕切シートＸの識別部２８での検出タイミングに基づいて一時貯留部２９の紙幣集積ドラム５５、両テープＴ，Ｔおよび両テープ巻戻しドラム５６，５６に巻取り動作を行わせて、仕切シートＸを所定の間隔で両テープＴ，Ｔの仕切シート収納領域ＴＢｃ，ＴＢｃ間に挟持しつつ紙幣集積ドラム５５に巻き付けて順次収納することになり、両テープＴ，Ｔの仕切シート用テープ部ＴＢと紙幣用テープ部ＴＡとの境界位置が領域識別センサ６２により検出されると、制御部６５は、紙幣集積ドラム５５、両テープＴ，Ｔおよび両テープ巻戻しドラム５６，５６を停止させて一時貯留部２９を、図５（ｃ）に示す待機状態とする。
【０１１５】
また、入金処理において、制御部６５は、一時貯留部２９に対しては、識別部２８により真券と識別された紙幣Ｓを搬送することになり、待機状態にある紙幣集積ドラム５５、両テープＴ，Ｔおよび両テープ巻戻しドラム５６，５６の巻取り動作で、回転する紙幣集積ドラム５５に、紙幣Ｓを順次所定の間隔をあけて、両テープＴ，Ｔの紙幣収納領域ＴＡｃで挟持しつつ両紙幣収納領域ＴＡｃ，ＴＡｃとともに順次巻き付けて収納する。そして、制御部６５は、識別部２８で最後に真券と識別された紙幣Ｓが一時貯留部２９に収納されるタイミングで、紙幣集積ドラム５５、両テープＴ，Ｔおよび両テープ巻戻しドラム５６，５６を停止させる（図５（ａ）参照）。
【０１１６】
また、入金処理の後半の収納処理および返却処理において、制御部６５は、一時貯留部２９に対しては、巻戻し動作を行わせ、紙幣集積ドラム５５に両テープＴ，Ｔの両紙幣収納領域ＴＡｃ，ＴＡｃとともに巻き付けられていた紙幣Ｓを順次繰り出すことになり、巻戻し動作中に、領域識別センサ６２で、両テープＴ，Ｔの互いに重なり合う紙幣用テープ部ＴＡと仕切シート用テープ部ＴＢとの境界位置が検出されると、紙幣集積ドラム５５、両テープＴ，Ｔおよび両テープ巻戻しドラム５６，５６を停止させて、図５（ｃ）に示す待機状態とする。
【０１１７】
また、偽券用仕切シート配布動作において、制御部６５は、一時貯留部２９に対しては、待機状態にある紙幣集積ドラム５５、両テープＴ，Ｔおよび両テープ巻戻しドラム５６，５６に巻戻し動作を行わせて一枚の仕切シートＸを繰り出して偽券回収部３０に送り込むことになり、紙幣集積ドラム５５から一枚の仕切シートＸが繰り出されたことが領域識別センサ６２で検出されると、紙幣集積ドラム５５、両テープＴ，Ｔおよび両テープ巻戻しドラム５６，５６を、図５（ｃ）に示す待機状態に戻す。
【０１１８】
また、取忘用仕切シート配布動作において、制御部６５は、一時貯留部２９に対しては、待機状態にある紙幣集積ドラム５５、両テープＴ，Ｔおよび両テープ巻戻しドラム５６，５６に巻戻し動作を行わせて一枚の仕切シートＸを繰り出して放出口１３に送り込むことになり、紙幣集積ドラム５５から一枚の仕切シートＸが繰り出されたことが領域識別センサ６２で検出されると、紙幣集積ドラム５５、両テープＴ，Ｔおよび両テープ巻戻しドラム５６，５６を待機状態に戻す。この場合も、一の処理に対して偽券用仕切シート配布動作および取忘用仕切シート配布動作の両方を行う場合、一枚目の仕切シートＸを繰り出した後、二枚目の仕切シートＸを繰り出すまでは、一時貯留部２９を待機状態に戻さずにいても良い。
【０１１９】
以上に述べた第２実施形態によれば、同期回動する二つのテープ巻戻しドラム５６，５６を用いて、二本のテープＴ，Ｔを重ねて紙幣集積ドラム５５に対し巻き付けおよび巻き戻しを行い、その際に、二本の重なり合うテープＴ，Ｔの間に、紙幣Ｓおよび仕切シートＸの短辺方向の中央位置を挟持することができるため、紙幣Ｓおよび仕切シートＸを安定して紙幣集積ドラム５５に集積することができ、安定して紙幣集積ドラム５５から繰り出すことができる。
【０１２０】
次に、本発明の第３実施形態に係る紙幣処理機を主に図６および図７を参照して第１実施形態との相違部分を中心に以下に説明する。
【０１２１】
第３実施形態では、一時貯留部２９の構成が第１実施形態と相違している。つまり、第１実施形態では、一対の紙幣集積ドラム５５およびテープ巻戻しドラム５６のうちの一方の紙幣集積ドラム５５に紙幣Ｓと仕切シートＸとを収納するようにしていたが、第３実施形態の一時貯留部２９では、一方の紙幣集積ドラム５５に紙幣Ｓを、他方のテープ巻戻しドラム５６に仕切シートＸを、それぞれテープＴとともに巻き付けて収納するようにしている。
【０１２２】
図６に示すように、第３実施形態の一時貯留部２９は、第１実施形態と同様、紙幣集積ドラム５５が入出口２９Ａ側に、テープ巻戻しドラム５６が入出口２９Ａとは反対側に、互いに平行をなすように設置されており、一方の紙幣集積ドラム５５にテープＴの一端が固定され、このテープＴの他端が他方のテープ巻戻しドラム５６に固定されている。そして、紙幣集積ドラム５５に巻き付けられたテープＴは、紙幣集積ドラム５５の下部から、横搬送路２２ｂと略同一直線をなすように入出口２９Ａ側に延出されることになり、ローラ８０によって下側に折り返され入出口２９Ａとは反対側に延出した後、入出口２９Ａとは反対側のローラ８１から上方に向けて延出しテープ巻戻しドラム５６に巻き付けられる。このとき、テープＴは、テープ巻戻しドラム５６の入出口２９Ａ側から下方に延出するように巻き付けられる。
【０１２３】
第３実施形態では、搬送部４４から分岐して水平後方に延出する搬送路８２が追加されており、一時貯留部２９のテープＴのローラ８０とローラ８１との間部分は、搬送路８２と略同一直線をなしており、これらの間に、一時貯留部２９のもう一つの入出口２９Ｂが設けられている。
【０１２４】
ここで、第３実施形態においては、図７に示すように、テープＴが、紙幣集積ドラム５５への固定端側の所定範囲に紙幣用テープ部ＴＡを、テープ巻戻しドラム５６への固定端側の所定範囲に仕切シート用テープ部ＴＢを有している。
【０１２５】
紙幣用テープ部ＴＡは、紙幣集積ドラム５５への固定端を含む所定範囲の幅広の巻戻しエンド領域ＴＡｄと、この巻戻しエンド領域ＴＡｄの紙幣集積ドラム５５への固定端とは反対側の所定範囲の幅狭の巻戻しニアエンド領域ＴＡｅと、この巻戻しニアエンド領域ＴＡｅの巻戻しエンド領域ＴＡｄとは反対側の所定範囲の幅広の紙幣収納領域ＴＡｃとを有している。
【０１２６】
また、仕切シート用テープ部ＴＢは、テープ巻戻しドラム５６への固定端を含む所定範囲の幅狭の巻取りエンド領域ＴＢｄと、この巻取りエンド領域ＴＢｄのテープ巻戻しドラム５６への固定端とは反対側の所定範囲の幅広の巻取りニアエンド領域ＴＢｅと、この巻取りニアエンド領域ＴＢｅの巻取りエンド領域ＴＢｄとは反対側の所定範囲の幅狭の仕切シート収納領域ＴＢｃとを有している。この仕切シート収納領域ＴＢｃが紙幣用テープ部ＴＡの紙幣収納領域ＴＡｃと隣り合っている。この場合も、幅広の巻戻しエンド領域ＴＡｄ、紙幣収納領域ＴＡｃおよび巻取りニアエンド領域ＴＢｅは互いに同じ幅となっており、幅狭の巻戻しニアエンド領域ＴＡｅ、仕切シート収納領域ＴＢｃおよび巻取りエンド領域ＴＢｄも互いに同じ幅となっている。
【０１２７】
そして、紙幣Ｓの一時貯留時には、搬送部２２の末端位置の横搬送路２２ｂから一枚ずつ分離された状態で搬送されてきた紙幣Ｓが、縦搬送部２２ａの搬送駆動力で横搬送路２２ｂから一時貯留部２９の上側の入出口２９Ａへ一定速度で送り込まれる。このとき、テープ巻戻しドラム５６および紙幣集積ドラム５５は、テープＴを紙幣集積ドラム５５で巻き取りつつテープ巻戻しドラム５６で繰り出す巻取り動作を行い、搬送部２２から送り出された紙幣Ｓを、テープＴに重ね合わせてテープＴとともに、テープＴのすでに紙幣集積ドラム５５に巻き付けられている部分に巻き付けることでテープＴの間に挟持する。一時貯留部２９に順次送り込まれる紙幣Ｓが、上記のようにして紙幣集積ドラム５５にテープＴとともに巻き付けられることになって、紙幣集積ドラム５５に集積状態で収納される（図６（ｃ）参照）。このとき、紙幣Ｓは、テープＴの紙幣収納領域ＴＡｃ内に収納される。
【０１２８】
紙幣Ｓの繰出時には、テープ巻戻しドラム５６および紙幣集積ドラム５５は、テープＴをテープ巻戻しドラム５６で巻き取りつつ紙幣集積ドラム５５で繰り出す巻戻し動作を行うことになり、これにより、紙幣集積ドラム５５に集積されていた紙幣Ｓが、テープＴのこれに重なる部分とともに紙幣集積ドラム５５から離れることで繰り出され、入出口２９Ａの位置でテープＴから分離されて搬送部２２の横搬送路２２ｂへと繰り出される（図６（ｂ）参照）。
【０１２９】
また、仕切シートＸの収納時には、搬送部２２，４４で一枚ずつ分離された状態で搬送されてきた仕切シートＸが、搬送路４４側の搬送駆動力で搬送路８２から一時貯留部２９の下側の入出口２９Ｂへ一定速度で送り込まれる。このとき、テープ巻戻しドラム５６および紙幣集積ドラム５５は、テープＴをテープ巻戻しドラム５６で巻き取りつつ紙幣集積ドラム５５で繰り出す巻戻し動作を行い、搬送路８２から送り出された仕切シートＸを、テープＴに重ね合わせてテープＴとともに、テープＴのすでにテープ巻戻しドラム５６に巻き付けられている部分に巻き付けることでテープＴの間に挟持する。一時貯留部２９に順次送り込まれる仕切シートＸが、上記のようにしてテープ巻戻しドラム５６にテープＴとともに巻き付けられることになって、テープ巻戻しドラム５６に集積状態で収納される。このとき、仕切シートＸは、テープＴの仕切シート収納領域ＴＢｃ内に収納される。
【０１３０】
仕切シートＸの繰出時には、テープ巻戻しドラム５６および紙幣集積ドラム５５は、テープＴを紙幣集積ドラム５５で巻き取りつつテープ巻戻しドラム５６で繰り出す巻取り動作を行うことになり、これにより、テープ巻戻しドラム５６に集積されていた仕切シートＸが、テープＴのこれに重なる部分とともにテープ巻戻しドラム５６から離れることで繰り出され、入出口２９ＢでテープＴから分離されて搬送路８２へと繰り出される。
【０１３１】
そして、テープ巻戻しドラム５６の近傍に、テープＴのテープ巻戻しドラム５６から搬送路８２と略同一直線をなすように前方に延出される仕切シート入出路位置の幅の相違を検出することでテープＴの各領域ＴＡｃ〜ＴＡｅ，ＴＢｃ〜ＴＢｅを検出する第１実施形態と同様の領域識別センサ６２が設けられている。
【０１３２】
第３実施形態においては、一時貯留部２９が、領域識別センサ６２によって、テープＴの幅広の巻戻しエンド領域ＴＡｄと幅狭の巻戻しニアエンド領域ＴＡｅとの境界位置が検出された状態、つまりテープ巻戻しドラム５６に仕切シート用テープ部ＴＢと紙幣用テープ部ＴＡの大部分とが巻き付けられた状態が、図６（ｂ）に示す待機状態となっている。
【０１３３】
そして、第３実施形態においては、仕切シート補充処理の実行にあたって、制御部６５は、一時貯留部２９の仕切シートＸが最大収納状態にはないものの仕切シートＸが残存している状態にある場合、一時貯留部２９に対しては、待機状態にある紙幣集積ドラム５５、テープＴおよびテープ巻戻しドラム５６に巻取り動作を実行させ、繰出側の一枚目の仕切シートＸの先端を領域識別センサ６２で検出した時点で、紙幣集積ドラム５５、テープＴおよびテープ巻戻しドラム５６を停止させる。また、一時貯留部２９の仕切シートＸの残数がない場合、制御部６５は、一時貯留部２９に対しては、待機状態にある紙幣集積ドラム５５、テープＴおよびテープ巻戻しドラム５６に巻取り動作を実行させ、テープＴが、領域識別センサ６２で、幅広の巻取りニアエンド領域ＴＢｅと幅狭の巻取りエンド領域ＴＢｄとの境界位置が検出される巻取りエンド状態となると、図６（ａ）に示すように、紙幣集積ドラム５５、テープＴおよびテープ巻戻しドラム５６を停止させる。
【０１３４】
そして、仕切シートＸの識別部２８での検出タイミングに基づいて一時貯留部２９の紙幣集積ドラム５５、テープＴおよびテープ巻戻しドラム５６に巻戻し動作を行わせて、回転するテープ巻戻しドラム５６に、入出口２９Ｂからの仕切シートＸを順次所定の間隔をあけて、テープＴの仕切シート収納領域ＴＢｃとともに順次巻き付けて収納する。そして、仕切シートＸが所定枚数収納された状態になると、仕切シートＸの補充は完了することになり、その後、領域識別センサ６２で幅狭の巻戻しニアエンド領域ＴＡｅと幅広の巻戻しエンド領域ＴＡｄとの境界位置が検出されると、図６（ｂ）に示すように、紙幣集積ドラム５５、テープＴおよびテープ巻戻しドラム５６を停止させて一時貯留部２９を待機状態とする。
【０１３５】
また、入金処理において、制御部６５は、一時貯留部２９に対しては、識別部２８により真券と識別された紙幣Ｓを搬送することになり、紙幣集積ドラム５５、テープＴおよびテープ巻戻しドラム５６の待機状態からの巻取り動作で、回転する紙幣集積ドラム５５に、入出口２９Ａからの紙幣Ｓを順次所定の間隔をあけて、テープＴの紙幣収納領域ＴＡｃとともに順次巻き付けて収納する。そして、制御部６５は、識別部２８で最後に真券と識別された紙幣Ｓが一時貯留部２９に収納されるタイミングで、紙幣集積ドラム５５、テープＴおよびテープ巻戻しドラム５６を停止させる（図６（ｃ）参照）。なお、投入口１２の大きさは、テープＴの紙幣用テープ部ＴＡによって紙幣集積ドラム５５に巻き付け可能な枚数範囲で紙幣Ｓが投入可能となっているが、万一、入金処理において、テープＴの紙幣用テープ部ＴＡと仕切シート用テープ部ＴＢとの境界位置つまり幅広の紙幣収納領域ＴＡｃと幅狭の仕切シート収納領域ＴＢｃとの境界位置が領域識別センサ６２で検出された場合、仕切シートＸが繰り出されてしまうことを防止するため、制御部６５は、強制的に紙幣集積ドラム５５、テープＴおよびテープ巻戻しドラム５６を停止させる。
【０１３６】
また、入金処理の後半の収納処理および返却処理において、制御部６５は、一時貯留部２９に対しては、巻戻し動作を行わせ、紙幣集積ドラム５５にテープＴの紙幣収納領域ＴＡｃとともに巻き付けられていた紙幣Ｓを入出口２９Ａから順次繰り出すことになり、巻戻し動作中に、領域識別センサ６２で幅狭の巻戻しニアエンド領域ＴＡｅと幅広の巻戻しエンド領域ＴＡｄとの境界位置が検出されると、図６（ｂ）に示すように、紙幣集積ドラム５５、テープＴおよびテープ巻戻しドラム５６を停止させる。
【０１３７】
また、偽券用仕切シート配布動作において、制御部６５は、一時貯留部２９に対しては、紙幣集積ドラム５５、テープＴおよびテープ巻戻しドラム５６に巻取り動作を行わせて一枚の仕切シートＸをテープ巻戻しドラム５６から入出口２９Ｂを介して繰り出して偽券回収部３０に送り込むことになり、テープ巻戻しドラム５６から一枚の仕切シートＸが繰り出されたことが領域識別センサ６２で検出されると、紙幣集積ドラム５５、テープＴおよびテープ巻戻しドラム５６に巻戻し動作を行わせて待機状態に戻す。
【０１３８】
また、取忘用仕切シート配布動作において、制御部６５は、一時貯留部２９に対しては、紙幣集積ドラム５５、テープＴおよびテープ巻戻しドラム５６に巻取り動作を行わせて一枚の仕切シートＸをテープ巻戻しドラム５６から入出口２９Ｂを介して繰り出して放出口１３に送り込むことになり、テープ巻戻しドラム５６から一枚の仕切シートＸが繰り出されたことが領域識別センサ６２で検出されると、紙幣集積ドラム５５、テープＴおよびテープ巻戻しドラム５６に巻戻し動作を行わせて待機状態に戻す。なお、一の処理に対して偽券用仕切シート配布動作および取忘用仕切シート配布動作の両方を行う場合、一枚目の仕切シートＸを繰り出した後、二枚目の仕切シートＸを繰り出すまでは、一時貯留部２９を待機状態に戻さないように制御する。
【０１３９】
以上に述べた第３実施形態によれば、一対の紙幣集積ドラム５５およびテープ巻戻しドラム５６とこれらの間に張り渡されたテープＴとを備え、送り込まれる紙幣Ｓを一方の紙幣集積ドラム５５にテープＴとともに巻き付けて繰出可能に収納する一時貯留部２９が、他方のテープ巻戻しドラム５６に仕切シートＸをテープＴとともに巻き付けて収納しており、偽券回収部３０あるいは共通取忘回収部３９に紙幣Ｓを収納した場合に、テープ巻戻しドラム５６に収納している仕切シートＸを一時貯留部２９から繰り出して、偽券回収部３０あるいは共通取忘回収部３９に収納することになるため、同一の偽券回収部３０あるいは同一の共通取忘回収部３９に複数の紙幣Ｓを収納する際に、必要な位置に仕切シートＸを配置することができ、仕切シートＸで分類して金種および枚数を管理することができる。
【０１４０】
加えて、一時貯留部２９のテープＴの巻戻しのためのテープ巻戻しドラム５６に仕切シートＸをテープＴとともに巻き付けて収納し、これを必要により繰り出すため、仕切シートＸを収納し繰り出すための専用の機構が不要になり、コストを低減することができる。
【０１４１】
次に、本発明の第４実施形態に係る紙幣処理機を主に図８を参照して第３実施形態との相違部分を中心に以下に説明する。
【０１４２】
第４実施形態では、一時貯留部２９の構成が第３実施形態と相違している。つまり、第３実施形態では、一つの紙幣集積ドラム５５と一つのテープ巻戻しドラム５６とに一本のテープＴが張り渡されていたが、第４実施形態の一時貯留部２９では、一つの紙幣集積ドラム５５に対して同期回転する二つのテープ巻戻しドラム５６，５６が設けられ、紙幣集積ドラム５５と一方のテープ巻戻しドラム５６との間に一本のテープＴが張り渡され、紙幣集積ドラム５５と他方のテープ巻戻しドラム５６との間に別の一本のテープＴが張り渡されている。
【０１４３】
つまり、第４実施形態の一時貯留部２９には、紙幣集積ドラム５５が入出口２９Ａとは反対側に、一対のテープ巻戻しドラム５６，５６が入出口２９Ａ側に、それぞれ平行をなすように設置されている。そして、紙幣集積ドラム５５に一方のテープＴの一端および他方のテープＴの一端が同じ位置に固定された後、同じ方向に巻き付けられ、一方のテープＴの他端が一方の上側のテープ巻戻しドラム５６に、他方のテープＴの他端が他方の下側のテープ巻戻しドラム５６に、それぞれ固定された後、互いに逆向きに巻き付けられている。ここで、紙幣集積ドラム５５と一方の上側のテープ巻戻しドラム５６との間に張り渡されたテープＴは、第３実施形態と同様の幅の異なる各領域ＴＡｃ〜ＴＡｅ，ＴＢｃ〜ＴＢｅ（図７参照）をもっており、紙幣集積ドラム５５と他方の下側のテープ巻戻しドラム５６との間に張り渡されたテープＴは一定幅となっている。
【０１４４】
紙幣集積ドラム５５に巻き付けられた一方のテープＴは、紙幣集積ドラム５５の下部から、他方のテープＴと重なり合って搬送路８２と略同一直線をなすように前方に延出されることになり、ローラ８５によって上側に折り返され一方の上側のテープ巻戻しドラム５６に巻き付けられる。このとき、この一方のテープＴは上側のテープ巻戻しドラム５６の下部から前方に延出して、横搬送路２２ｂと略同一直線をなす。他方のテープＴは、紙幣集積ドラム５５の下部から、一方のテープＴと重なり合って搬送路８２と略同一直線をなすように前方に延出され、ローラ８６によって下側に折り返され他方の下側のテープ巻戻しドラム５６に巻き付けられる。このとき、この他方のテープＴは下側のテープ巻戻しドラム５６の上部から前方に延出するように巻き付けられる。
【０１４５】
そして、二本のテープＴ，Ｔを紙幣集積ドラム５５に巻き付ける際には、一方のテープ巻戻しドラム５６および他方のテープ巻戻しドラム５６がそれぞれテープＴを媒介に連動し回動してテープＴをそれぞれ繰り出すことになる。逆に一方のテープ巻戻しドラム５６に一方のテープＴを、他方のテープ巻戻しドラム５６に他方のテープＴを巻き付ける際には、紙幣集積ドラム５５は両テープＴ，Ｔを媒介に連動し回動して両テープＴ，Ｔを繰り出すことになる。
【０１４６】
そして、紙幣Ｓの一時貯留時には、搬送路８２から一枚ずつ分離された状態で搬送されてきた紙幣Ｓが、搬送部４４側の搬送駆動力で一時貯留部２９の下側の入出口２９Ｂへ一定速度で送り込まれる。このとき、紙幣集積ドラム５５は、所定の紙幣収納方向（図８における反時計回り方向）に、一方の上側のテープ巻戻しドラム５６は、所定の紙幣収納方向（図８における時計回り方向）に、他方の下側のテープ巻戻しドラム５６は、所定の紙幣収納方向（図８における反時計回り方向）に回転しており、搬送路８２から送り出された紙幣Ｓは、その短辺方向の中央位置が両テープＴ，Ｔに挟持されて両テープＴ，Ｔとともに、両テープＴ，Ｔのすでに紙幣集積ドラム５５に巻き付けられている部分に巻き付けられる。一時貯留部２９に順次送り込まれる紙幣Ｓが、上記のようにして紙幣集積ドラム５５に両テープＴ，Ｔとともに巻き付けられることになって、紙幣集積ドラム５５に集積状態で収納される（図８（ｃ）参照）。これが巻取り動作である。
【０１４７】
逆に、一対のテープ巻戻しドラム５６，５６および紙幣集積ドラム５５が、上記と反対の所定の紙幣繰出方向に回転することで、紙幣集積ドラム５５に集積されていた紙幣Ｓは、両テープＴ，Ｔに挟持された状態のまま紙幣集積ドラム５５から両テープＴ，Ｔとともに離れて繰り出され、一時貯留部２９の入出口２９Ｂで両テープＴ，Ｔから分離されて搬送路８２へと繰り出される（図８（ｂ）参照）。これが巻戻し動作である。
【０１４８】
このように、一対のテープ巻戻しドラム５６，５６と紙幣集積ドラム５５との間で両テープＴ，Ｔの巻取り動作および巻戻し動作を行うことにより、一枚ずつ導入される紙幣Ｓの集積収納および分離繰り出しを行う。
【０１４９】
そして、仕切シートＸは、一方の上側のテープ巻戻しドラム５６に収納される。つまり、仕切シートＸの収納時には、搬送部２２で一枚ずつ分離された状態で搬送されてきた仕切シートＸが、縦搬送部２２ａの搬送駆動力で横搬送路２２ｂから一時貯留部２９の上側の入出口２９Ａへ一定速度で送り込まれる。このとき、一対のテープ巻戻しドラム５６，５６および紙幣集積ドラム５５は、巻戻し動作を行い、搬送部２２から送り出された仕切シートＸを、上側のテープ巻戻しドラム５６側のテープＴに重ね合わせてテープＴとともに、テープＴのすでに上側のテープ巻戻しドラム５６に巻き付けられている部分に巻き付けることでテープＴの間に挟持する。一時貯留部２９に順次送り込まれる仕切シートＸが、上記のようにして上側のテープ巻戻しドラム５６にテープＴとともに巻き付けられることになって、上側のテープ巻戻しドラム５６に集積状態で収納される。このとき、仕切シートＸは、テープＴの仕切シート収納領域ＴＢｃ内に収納される。
【０１５０】
仕切シートＸの繰出時には、一対のテープ巻戻しドラム５６，５６および紙幣集積ドラム５５は、巻取り動作を行い、上側のテープ巻戻しドラム５６に集積されていた仕切シートＸを、テープ巻戻しドラム５６からテープＴとともに離すことで繰り出し、入出口２９ＡでテープＴから分離されて搬送部２２の横搬送路２２ｂへと繰り出される。
【０１５１】
そして、上側のテープ巻戻しドラム５６の近傍に、テープＴの上側のテープ巻戻しドラム５６から横搬送路２２ｂと略同一直線をなすように前方に延出される仕切シート入出路位置の幅の相違を検出することでテープＴの各領域ＴＡｃ〜ＴＡｅ，ＴＢｃ〜ＴＢｅを検出する領域識別センサ６２が設けられている。
【０１５２】
第４実施形態においては、一時貯留部２９が、領域識別センサ６２で、上側のテープ巻戻しドラム５６に巻き付けられたテープＴの幅狭の巻戻しニアエンド領域ＴＡｅと幅広の巻戻しエンド領域ＴＡｄとの境界位置が検出された状態、つまり上側のテープ巻戻しドラム５６にテープＴの仕切シート用テープ部ＴＢと紙幣用テープ部ＴＡの大部分とが巻き付けられた状態（下側のテープ巻戻しドラム５６にもテープＴの同様の長さ範囲が巻き付けられた状態）が、図８（ｂ）に示す待機状態となっている。
【０１５３】
そして、第４実施形態においては、仕切シート補充処理の実行にあたって、制御部６５は、一時貯留部２９の仕切シートＸが最大収納状態にはないものの仕切シートＸが残存している状態にある場合、一時貯留部２９に対しては、待機状態にある紙幣集積ドラム５５、両テープＴ，Ｔおよび両テープ巻戻しドラム５６，５６に巻取り動作を実行させ、上側のテープ巻戻しドラム５６に収納された、繰出側の一枚目の仕切シートＸの先端を領域識別センサ６２で検出した時点で、紙幣集積ドラム５５、両テープＴ，Ｔおよび両テープ巻戻しドラム５６，５６を停止させる。また、一時貯留部２９の仕切シートＸの残数がない場合、制御部６５は、一時貯留部２９に対しては、待機状態にある紙幣集積ドラム５５、両テープＴ，Ｔおよび両テープ巻戻しドラム５６，５６に巻取り動作を実行させ、上側のテープ巻戻しドラム５６に巻き付けられたテープＴが、領域識別センサ６２で幅広の巻取りニアエンド領域ＴＢｅと幅狭の巻取りエンド領域ＴＢｄとの境界位置が検出される巻取りエンド状態となると、図８（ａ）に示すように、紙幣集積ドラム５５、両テープＴ，Ｔおよび両テープ巻戻しドラム５６，５６を停止させる。
【０１５４】
そして、仕切シートＸの識別部２８での検出タイミングに基づいて一時貯留部２９の紙幣集積ドラム５５、両テープＴ，Ｔおよび両テープ巻戻しドラム５６，５６に巻戻し動作を行わせて、回転する上側のテープ巻戻しドラム５６に、横搬送路２２ｂから入出口２９Ａを介して導入される仕切シートＸを順次所定の間隔をあけて、テープＴの仕切シート収納領域ＴＢｃとともに巻き付けて収納する。そして、仕切シートＸが所定枚数収納された後、制御部６５は、領域識別センサ６２で、テープＴの幅狭の巻戻しニアエンド領域ＴＡｅと幅広の巻戻しエンド領域ＴＡｄとの境界位置が検出されると、紙幣集積ドラム５５、両テープＴ，Ｔおよび両テープ巻戻しドラム５６，５６を停止させて一時貯留部２９を、図８（ｂ）に示す待機状態とする。
【０１５５】
また、入金処理において、制御部６５は、一時貯留部２９に対しては、識別部２８により真券と識別された紙幣Ｓを搬送することになり、待機状態にある紙幣集積ドラム５５、両テープＴ，Ｔおよび両テープ巻戻しドラム５６，５６の巻取り動作で、回転する紙幣集積ドラム５５に、紙幣Ｓを順次所定の間隔をあけて、両テープＴ，Ｔで挟持しながら順次巻き付けて収納する（図８（ｃ）参照）。そして、制御部６５は、識別部２８で最後に真券と識別された紙幣Ｓが一時貯留部２９に収納されるタイミングで、紙幣集積ドラム５５、両テープＴ，Ｔおよび両テープ巻戻しドラム５６，５６を停止させる。なお、この場合も、投入口１２の大きさは、テープＴの紙幣用テープ部ＴＡによって紙幣集積ドラム５５に巻き付け可能な枚数範囲で紙幣Ｓが投入可能となっているが、万一、入金処理において、テープＴの紙幣用テープ部ＴＡと仕切シート用テープ部ＴＢとの境界位置つまり幅広の紙幣収納領域ＴＡｃと幅狭の仕切シート収納領域ＴＢｃとの境界位置が領域識別センサ６２で検出された場合、仕切シートＸが繰り出されてしまうことを防止するため、制御部６５は、強制的に紙幣集積ドラム５５、テープＴおよびテープ巻戻しドラム５６を停止させる。
【０１５６】
また、入金処理の後半の収納処理および返却処理において、制御部６５は、一時貯留部２９に対しては、巻戻し動作を行わせ、紙幣集積ドラム５５にテープＴ，Ｔとともに巻き付けられていた紙幣Ｓを順次入出口２９Ｂから繰り出すことになり、巻戻し動作中に、領域識別センサ６２で、テープＴの幅狭の巻戻しニアエンド領域ＴＡｅと幅広の巻戻しエンド領域ＴＡｄとの境界位置が検出されると、図８（ｂ）に示すように、紙幣集積ドラム５５、両テープＴ，Ｔおよび両テープ巻戻しドラム５６，５６を停止させる。
【０１５７】
また、偽券用仕切シート配布動作において、制御部６５は、一時貯留部２９に対しては、待機状態にある紙幣集積ドラム５５、両テープＴ，Ｔおよび両テープ巻戻しドラム５６，５６に巻取り動作を行わせて一枚の仕切シートＸを上側のテープ巻戻しドラム５６から入出口２９Ａを介して繰り出して偽券回収部３０に送り込むことになり、上側のテープ巻戻しドラム５６から一枚の仕切シートＸが繰り出されたことが領域識別センサ６２で検出されると、紙幣集積ドラム５５、両テープＴ，Ｔおよび両テープ巻戻しドラム５６，５６を待機状態に戻す。
【０１５８】
また、取忘用仕切シート配布動作において、制御部６５は、一時貯留部２９に対しては、待機状態にある紙幣集積ドラム５５、両テープＴ，Ｔおよび両テープ巻戻しドラム５６，５６に巻取り動作を行わせて一枚の仕切シートＸを上側のテープ巻戻しドラム５６から入出口２９Ａを介して繰り出して放出口１３に送り込むことになり、上側のテープ巻戻しドラム５６から一枚の仕切シートＸが繰り出されたことが領域識別センサ６２で検出されると、紙幣集積ドラム５５、テープＴ，Ｔおよびテープ巻戻しドラム５６を待機状態に戻す。なお、一の処理に対して偽券用仕切シート配布動作および取忘用仕切シート配布動作の両方を行う場合、一枚目の仕切シートＸを繰り出した後、二枚目の仕切シートＸを繰り出すまでは、一時貯留部２９を待機状態に戻さないように制御する。
【０１５９】
以上に述べた第４実施形態によれば、同期回動する二つのテープ巻戻しドラム５６，５６を用いて、二本のテープＴ，Ｔを重ねて紙幣集積ドラム５５に対し巻き付けおよび巻き戻しを行い、その際に、二本の重なり合うテープＴ，Ｔの間に、紙幣Ｓの短辺方向の中央位置を挟持することができるため、紙幣Ｓを安定して紙幣集積ドラム５５に集積することができ、安定して紙幣集積ドラム５５から繰り出すことができる。
【０１６０】
なお、第４実施形態では、上側のテープ巻戻しドラム５６にテープＴとともに仕切シートＸを巻き付けて収納したが、下側のテープ巻戻しドラム５６にテープＴとともに仕切シートＸを巻き付けて収納するようにしても良い。
【０１６１】
次に、本発明の第５実施形態に係る紙幣処理機を主に図９を参照して第１実施形態との相違部分を中心に以下に説明する。
【０１６２】
第５実施形態に係る紙幣処理機１１は、紙幣の入金処理、計数処理および出金処理が可能な入出金機である。つまり、第１実施形態の収納部５０の収納庫４７〜４９のそれぞれの下部に紙幣を一枚ずつ分離して計数しつつ繰り出す出金繰出部９１〜９３が設けられており、これら出金繰出部９１〜９３から繰り出された紙幣Ｓを搬送する搬送部９４〜９６が設けられている。これら搬送部９４〜９６は合流して搬送部９７となり、この搬送部９７が上記した搬送部２４に合流している。搬送部９７の途中には、紙幣Ｓの重送や斜行等の異常搬送を検出する出金識別部９８が設けられており、出金識別部９８で異常搬送と識別された紙幣Ｓを収納する出金回収部９９が搬送部９７から分岐する搬送部１００の末端に接続されている。
【０１６３】
これにより、収納部５０の各収納庫４７〜４９から繰り出された紙幣Ｓが出金識別部９８で識別後、異常搬送の紙幣Ｓのみ出金回収部９９に収納され、正常搬送の紙幣Ｓのみが搬送部１００から共通放出部（第１返却部，第２返却部，出金部，共通送出部）３５に繰り出され、機外に取出可能に出金される。そして、共通放出部３５で取り忘れられた紙幣が、第１実施形態と同様、分離繰出部３４から搬送部３８を介して共通取忘回収部（受入部，第１取忘回収部，第２取忘回収部，第３取忘回収部）３９に回収される。
【０１６４】
このような第５実施形態では、仕切シート補充処理モード、入金処理モードおよび計数処理モードは、第１実施形態と同様であり、第１実施形態では実行不可な以下の出金処理モードが実行可能となっている。
【０１６５】
〔出金処理モード（通常処理モード）〕
所定の金種および枚数の紙幣を出金する通常処理モードの出金処理モードが操作部６９に選択入力され、操作部６９に金種データおよび枚数データが入力されると、制御部６５は、出金処理を実行する。つまり、制御部６５は、搬送部９４〜９７を正転駆動し、金種データおよび枚数データに応じて出金繰出部９１〜９３を必要な枚数の出金に必要な量だけ駆動する。すると、収納庫４７〜４９内の適宜の金種および枚数の紙幣が搬送部９４〜９７で搬送され、出金識別部９８で識別される。そして、出金識別部９８により異常搬送と識別された紙幣Ｓを搬送部９７，１００で出金回収部９９に搬送し、正常搬送と識別された紙幣を搬送部９７，２４で放出口１３に向けて搬送する。
【０１６６】
金種データおよび枚数データに応じた紙幣Ｓがすべて放出口１３に放出されるタイミングで、制御部６５は、搬送部９４〜９７を停止させることになり、この停止後に、放出口シャッタ１６を開いて放出口１３を開放するとともに、紙幣Ｓの取り出しを促す表示および音声出力を表示部６７および音声発生部６８に実行させる。そして、上記した取忘判断により、放出口１３での紙幣Ｓの取り忘れがあったと判断すると、制御部６５は、取忘用仕切シート配布動作を行ってから、今回の出金処理モードを終了する。つまり、制御部６５は、取忘判断により、放出口１３での紙幣Ｓの取り忘れがあったと判断すると、放出口シャッタ１６を閉じた後、分離繰出部３４および搬送部３８により、放出口１３内の紙幣Ｓをすべて取り忘れの紙幣Ｓとして共通取忘回収部３９に収納させ、その後、一時貯留部２９に巻戻し動作を行わせて一枚の仕切シートＸを放出口１３に放出させ、分離繰出部３４および搬送部３８により、放出口１３内の仕切シートＸを共通取忘回収部３９に収納させて、出金処理モードを終了する。
【０１６７】
以上に述べた第５実施形態によれば、投入部２０に投入され識別部２８で偽券と識別された紙幣Ｓを収納する偽券回収部３０と、投入部２０に投入され識別部２８で識別不可の紙幣Ｓを機外に取出可能に返却するとともに一時貯留部２９から繰り出された紙幣Ｓおよび収納部５０から繰り出された紙幣Ｓを機外に取出可能に放出する共通放出部３５で取り忘れられた紙幣を収納する共通取忘回収部３９とに対して、一時貯留部２９から仕切シートＸを導入することができるため、これら偽券回収部３０および共通取忘回収部３９に収納する紙幣Ｓを分類して管理することができる。
【０１６８】
また、識別部２８で識別不可の紙幣、一時貯留部２９から繰り出された紙幣Ｓおよび収納部５０から繰り出された紙幣Ｓを機外に取出可能に放出する共通の共通放出部３５から取り忘れの紙幣Ｓを収納する共通取忘回収部３９にて、紙幣Ｓを分類して管理することができる。
【０１６９】
なお、第５実施形態の紙幣処理機１１においては、識別部２８で識別不可の紙幣、一時貯留部２９から繰り出された紙幣Ｓおよび収納部５０から繰り出された紙幣Ｓを機外に取出可能に放出する共通放出部３５を設け、この共通放出部３５に一つの共通取忘回収部３９を設ける場合を例にとり説明したが、識別部２８で識別不可の紙幣Ｓを機外に取出可能に返却する第１返却部と、一時貯留部２９から繰り出された紙幣Ｓを機外に取出可能に返却する第２返却部と、収納部５０から繰り出された紙幣Ｓを機外に取出可能に出金する出金部とを別々にし、第１返却部で取り忘れられた紙幣Ｓを収納する第１取忘回収部と、第２返却部で取り忘れられた紙幣Ｓを収納する第２取忘回収部と、出金部で取り忘れられた紙幣Ｓを収納する第３取忘回収部とを別々に設けても良い。この場合は、偽券回収部３０、第１取忘回収部、第２取忘回収部および第３取忘回収部のすべてに一時貯留部２９から仕切シートＸを供給するように構成したり、偽券回収部３０、第１取忘回収部、第２取忘回収部および第３取忘回収部のいずれか三つに一時貯留部２９から仕切シートＸを供給するように構成したり、偽券回収部３０、第１取忘回収部、第２取忘回収部および第３取忘回収部のいずれか二つに一時貯留部２９から仕切シートＸを供給するように構成したり、偽券回収部３０、第１取忘回収部、第２取忘回収部および第３取忘回収部のいずれか一つに一時貯留部２９から仕切シートＸを供給するように構成したりすることができる。
【０１７０】
加えて、上記した第１返却部、第２返却部および出金部に対して一つの共通取忘回収部を設けても良く、第１返却部、第２返却部および出金部のいずれか二つに対して一つの共通取忘回収部を設けても良い。さらに、第１返却部、第２返却部および出金部のうちのいずれか二つを一つの共通の共通放出部としても良く、この場合も、取忘回収部をそれぞれに一つずつとしたり、共通の一つとしたりできる。
【０１７１】
また、第５実施形態の紙幣処理機においては、一時貯留部２９として、第１実施形態の一時貯留部２９を採用した例を説明したが、第１〜第４実施形態のいずれの一時貯留部２９を採用しても良い。
【符号の説明】
【０１７２】
１１  紙幣処理機
２０  投入部
２８  識別部
２９  一時貯留部
３０  偽券回収部（受入部）
３５  共通放出部（第１返却部，第２返却部，出金部，共通返却部）
３９  共通取忘回収部（受入部，第１取忘回収部，第２取忘回収部，第３取忘回収部，共通取忘回収部）
５０  収納部
５５  紙幣集積ドラム（ドラム）
５６  テープ巻戻しドラム（ドラム）
６５  制御部
Ｓ  紙幣
Ｔ  テープ
ＴＡ  紙幣用テープ部
ＴＢ  仕切シート用テープ部
Ｘ  仕切シート
【図１】
2011018172.tif 000003
【図２】
2011018172.tif 000004
【図３】
2011018172.tif 000005
【図４】
2011018172.tif 000006
【図５】
2011018172.tif 000007
【図６】
2011018172.tif 000008
【図７】
2011018172.tif 000009
【図８】
2011018172.tif 000010
【図９】
2011018172.tif 000011